(57)【要約】  本発明は、アップリング情報の伝送方法および端末であって、複数のアップリンク情報がコリジョンした場合、複数のアップリンク情報における少なくとも一部のアップリンク情報の目標空間関係を決定することであって、端末用にネットワークデバイスによって設定されまたは指示された空間関係のうちの少なくとも１つである、決定すること、同じ空間関係に従って送信されたアップリンク情報がコリジョンしない目標空間関係に基づいて、少なくとも一部のアップリンク情報を送信することとを含む、アップリング情報の伝送方法。本発明における端末は、マルチＴＲＰ伝送時のアップリンク情報の送信コリジョンを解決し、マルチＴＲＰシーンに対する端末のサポートを強化することができる。
2021536178.tif 000002
【特許請求の範囲】
【請求項１】
端末に適用されるアップリンク情報の送信方法であって、
複数のアップリンク情報がコリジョンした場合、前記複数のアップリンク情報における少なくとも一部のアップリンク情報の目標空間関係を決定することであって、前記目標空間関係は、端末用にネットワークデバイスによって設定されまたは指示された空間関係のうちの少なくとも１つである、決定することと、
同じ空間関係に従って送信されたアップリンク情報がコリジョンしない前記目標空間関係に基づいて、前記少なくとも一部のアップリンク情報を送信することとを含む、端末に適用されるアップリンク情報の送信方法。
【請求項２】
前記目標空間関係に従って、前記少なくとも一部のアップリンク情報を送信するステップの前に、
前記複数のアップリンク情報における送信対象の少なくとも一部のアップリンク情報を決定するステップを更に含む、請求項１に記載のアップリンク情報の送信方法。
【請求項３】
前記複数のアップリンク情報における送信対象の少なくとも一部のアップリンク情報を決定するステップは、
再生破棄基準に従って、送信対象の少なくとも一部のアップリンク情報を決定するステップと、
ネットワークデバイスの指示に従って、前記複数のアップリンク情報のうちの少なくとも１つを破棄し、送信対象の少なくとも一部のアップリンク情報を決定するステップと、
事前設定されている破棄基準に従って、前記複数の少なくとも１つのアップリンク情報を破棄し、送信対象のアップリンク情報少なくとも一部を決定するステップと、
前記複数のアップリンク情報のすべてを送信対象の少なくとも一部のアップリンク情報として決定するステップとのうちの１つを含む、請求項２に記載のアップリンク情報の送信方法。
【請求項４】
前記複数のアップリンク情報のうちの少なくとも１つを破棄するステップは、前記複数のアップリンク情報における第１の部分のアップリンク情報を破棄するステップを含み、前記第１の部分のアップリンク情報は、設定または指示された前記目標空間関係のうちの少なくとも１つの空間関係に従って送信されたアップリンク情報であることを特徴とする、請求項３に記載のアップリンク情報の送信方法。
【請求項５】
前記事前設定されている破棄基準は、前記アップリンク情報の優先度と、前記アップリンク情報が属するチャネル/信号の優先度と、および前記空間関係の優先度と、前記端末の端末機能と関係がある、請求項３に記載のアップリンク情報の送信方法。
【請求項６】
同じ空間的関係に従って、前記複数のアップリンク情報を送信する、請求項１乃至５のいずれか一項に記載のアップリンク情報の送信方法。
【請求項７】
前記複数のアップリンク情報における少なくとも一部のアップリンク情報の目標空間関係を決定するステップは、
前記複数のアップリンク情報用に設定または指示された元空間関係を前記目標空間関係として決定するステップと、
または、前記ネットワークデバイスによって設定または指示された新空間関係を前記目標空間関係として決定するステップと、
または、事前設定されている切替基準に従って決定された新空間関係を前記目標空間関係として決定するステップとを含み、
前記新空間関係が前記元空間関係とは異なることを特徴とする、請求項６に記載のアップリンク情報の送信方法。
【請求項８】
前記端末が複数の空間関係に従ってアップリンク情報を同時に送信する能力をサポートする場合、前記複数のアップリンク情報における少なくとも一部のアップリンク情報の目標空間を決定するステップは、
前記複数のアップリンク情報用に設定または指示された元空間関係と、前記ネットワークデバイスによって設定または示された新空間関係とを前記目標空間関係として決定するステップと、
または、前記複数のアップリンク情報用に設定または指示された元空間関係と、事前設定されている切替基準に従って決定された新空間関係とを前記目標空間関係として決定するステップとをさらに含み、
前記新空間関係が前記元空間関係とは異なることを特徴とする、請求項６に記載のアップリンク情報の送信方法。
【請求項９】
複数の異なる空間関係に従って前記複数のアップリンク情報を送信する、請求項１乃至５のいずれか一項に記載のアップリンク情報の送信方法。
【請求項１０】
前記複数のアップリンク情報における少なくとも一部のアップリンク情報の目標空間関係を決定するステップは、
事前設定されている切替基準やネットワークデバイスの設定または指示に従って、前記複数のアップリンク情報用に設定または指示された元空間関係のうちの少なくとも１つを前記目標空間関係として決定するステップと、
前記ネットワークデバイスによって設定または指示された新空間関係を前記目標空間関係として決定するステップと、
前記事前設定されている切替基準に従って決定された新空間関係を前記目標空間関係として決定するステップと、のうちの少なくとも１つを含み、
前記新空間関係が前記元空間関係とは異なることを特徴とする、請求項９に記載のアップリンク情報の送信方法。
【請求項１１】
前記事前設定されている切替基準は、
目標チャネル/信号用に設定または指示された第１の空間関係を目標空間関係として決定することと、
目標アップリンク情報用に設定または指示された第２の空間関係を目標空間関係として決定し、目標アップリンク情報の優先度は他のアップリンク情報の優先度よりも高いまたは低く、前記の他のアップリンク情報は、前記複数のアップリンク情報のうち、前記目標アップリンク情報以外の、少なくとも１つのアップリンク情報であることと、
第３の空間関係を目標空間関係として決定し、前記第３の空間関係は、事前定義されているデフォルト空間関係であったり、前記複数のアップリンク情報に対応する空間関係の中で最も優先度の高い空間関係であったり、前記端末に対応する空間関係の中で最も優先度が高い空間関係であることと、
前記ネットワークデバイスによって最新に指示または設定された第４の空間関係を目標空間関係として決定することと、
事前設定されている期間で最高の受信品質を持つ少なくとも１つのアップリンクチャネル測定リソースに対応する空間関係である第５の空間関係を目標空間関係として決定することと、のうちの少なくとも１つを含む、請求項８または１０に記載のアップリンク情報の送信方法。
【請求項１２】
前記端末が、複数の空間的関係に従ってアップリンク情報を同時に送信する能力をサポートする場合、前記複数のアップリンク情報における少なくとも一部のアップリンク情報の目標空間関係を決定するステップは、
前記少なくとも１つの第１のアップリンク情報が前記複数のアップリンク情報に含まれる場合は、前記第１のアップリンク情報用に設定または指示された空間関係のうちの少なくとも１つを前記第１のアップリンク情報の目標空間関係として決定し、前記第１のアップリンク情報用に設定または指示された他の空間関係を他のアップリンク情報の目標空間関係として決定するステップと、
第１のアップリンク情報用に少なくとも２つの空間関係を設定または指示し、前記の他のアップリンク情報は、前記第１のアップリンク情報を除く前記複数のアップリンク情報のうちの少なくとも１つである、決定することをさらに含む、請求項９に記載の前記アップリンク情報の送信方法。
【請求項１３】
端末であって、
複数のアップリンク情報がコリジョンした場合、前記複数のアップリンク情報における少なくとも一部のアップリンク情報の目標空間関係を決定する第１の決定モジュールとであり、前記目標空間関係は、前記端末用にネットワークデバイスによって設定または指示された空間関係のうちの少なくとも１つであるように構成されている、第１の決定モジュールと、
同じ空間関係に従って送信されるアップリンク情報がコリジョンしない前記目標空間関係に従って前記の少なくとも一部のアップリンク情報を送信するように構成されている送信モジュールとを含む端末。
【請求項１４】
前記複数のアップリンク情報における送信対象の少なくとも一部のアップリンク情報を決定するように構成されている第２の決定モジュールをさらに含む、請求項１３に記載の端末。
【請求項１５】
前記第２の決定モジュールは、
再生破棄基準に従って送信対象の少なくとも一部のアップリンク情報を決定するように構成されている第１の決定サブモジュールと、
送信対象の少なくとも一部のアップリンク情報を決定するために、ネットワークデバイスの指示に従って、前記複数のアップリンク情報のうちの少なくとも１つを破棄するように構成されている第２の決定サブモジュールと、
送信対象の少なくとも一部のアップリンク情報を決定するために、事前設定されている破棄基準に従って、前記複数のアップリンク情報のうちの少なくとも１つを破棄するように構成されている第３の決定サブモジュールと、
送信対象の少なくとも一部アップリンク情報のとして、複数のアップリンク情報のすべてを決定するように構成されている第４の決定サブモジュールと、のうちの１つを含む、請求項１４に記載の端末。
【請求項１６】
前記第２の決定サブモジュールまたは第３の決定サブモジュールは、
前記複数のアップリンク情報のうちの第１の部分のアップリンク情報を破棄する第１の決定ユニットを含み、前記第１の部分のアップリンク情報は、設定または示された前記目標空間関係における少なくとも１つの空間関係に従って送信されるアップリンク情報であることを特徴とする、請求項１５に記載の端末。
【請求項１７】
前記の事前設定されている破棄基準は、前記アップリンク情報の優先度と、前記アップリンク情報の属するチャネル/信号の優先度と、前記空間関係の優先度と、および前記端末の端末機能と関係がある、請求項１５に記載の端末。
【請求項１８】
同じ空間関係に従って前記複数のアップリンク情報を送信する請求項１３乃至１７のいずれか一項に記載の端末。
【請求項１９】
前記第１の決定モジュールは、
前記複数のアップリンク情報のために設定または指示された元空間関係を目標空間関係として決定するように構成されている第５の決定サブモジュールと、
または、前記ネットワークデバイスによって設定または指示された新空間関係を目標空間関係として決定するように構成されている第６の決定サブモジュールと、
または、事前設定されている切替基準に従って決められた新空間関係を目標空間関係として決定するように構成されている第７の決定サブモジュールとを含み、
前記新空間関係が前記元空間関係とは異なることを特徴とする、請求項１８に記載の端末。
【請求項２０】
前記端末が複数の空間関係に従ってアップリンク情報を同時に送信する能力をサポートする場合、前記第１の決定モジュールは、
前記複数のアップリンク情報のために設定または指示された元空間関係、およびネットワークデバイスによって設定または指示されている新空間関係を目標空間関係として決定するように構成されている第８の決定サブモジュールと、
または、前記複数のアップリンク情報のために設定または指示された元空間関係、及び事前設定されている切替基準に従って決められた新空間関係を目標空間関係として決定するように構成されている第９の決定サブモジュールとをさらに含み、
前記新空間関係が前記元空間関係とは異なることを特徴とする、請求項１８に記載の端末。
【請求項２１】
複数の異なる空間関係に従って前記複数のアップリンク情報を送信する、請求項１３乃至１７のいずれか一項に記載の端末。
【請求項２２】
前記第１の決定モジュールは、
事前設定されている切替基準またはネットワークデバイスの設定または指示に従って、前記複数のアップリンク情報用に設定または指示された元空間関係の少なくとも１つを前記目標空間関係として決定するように構成されている第１０の決定サブモジュールと、
前記ネットワークデバイスによって設定または指示された新空間関係を前記目標空間関係として決定するように構成されている第１１の決定サブモジュールと、
事前設定されている切替基準に従って決定された新空間関係を前記目標空間関係として決定するように構成されている第１２の決定サブモジュールとのうちの少なくとも１つをさらに含み、
前記新空間関係は前記元空間関係とは異なることを特徴とする、請求項２１に記載の端末。
【請求項２３】
前記事前設定されている切替基準は、
目標チャネル/信号用に設定または指示された第１の空間関係を目標空間関係として決定することと、
目標アップリンク情報用に設定または指示された第２の空間関係を目標空間関係として決定し、目標アップリンク情報の優先度は他のアップリンク情報の優先度よりも高いまたは低く、前記の他のアップリンク情報は、複数のアップリンク情報のうち、前記目標アップリンク情報以外の、少なくとも１つのアップリンク情報であることと、
第３の空間関係を目標空間関係として決定し、前記第３の空間関係は、事前定義されているデフォルト空間関係であったり、前記複数のアップリンク情報に対応する空間関係の中で最も優先度の高い空間関係であったり、前記端末に対応する空間関係の中で最も優先度が高い空間関係であることと、
前記ネットワークデバイスによって最新に指示または設定された第４の空間関係を目標空間関係として決定することと、
事前設定されている期間で最高の受信品質を持つ少なくとも１つのアップリンクチャネル測定リソースに対応する空間関係である第５の空間関係を目標空間関係として決定することと、の少なくとも１つを含む、請求項２０または２２に記載の端末。
【請求項２４】
前記端末が複数の空間的関係に従ってアップリンク情報を同時に送信する能力をサポートする場合、前記第１の決定モジュールは、
少なくとも１つの第１のアップリンク情報が前記複数のアップリンク情報に含まれる場合、前記第１のアップリンク情報用に設定または示された空間関係のうちの少なくとも１つを前記第１のアップリンク情報の目標空間関係として決定し、前記第１のアップリンク情報用に設定または指示された他の空間関係を他のアップリンク情報の目標空間関係として決定する第１３の決定サブモジュールであり、
第１のアップリンク情報用に少なくとも２つの空間関係を設定または指示し、前記の他のアップリンク情報は、前記第１のアップリンク情報を除く前記複数のアップリンク情報のうちの少なくとも１つであるように構成されている、第１３の決定サブモジュールをさらに含む請求項２１に記載の端末。
【請求項２５】
プロセッサと、メモリと、メモリに収納され且つプロセッサ上で実行可能なコンピュータプログラムとを含み、前記コンピュータプログラムがプロセッサによって実行されるときに請求項１乃至１２のいずれか一項に記載のアップリンク情報送信方法のステップを実現することを特徴とする、端末。
【請求項２６】
プロセッサによって実行されるときに請求項１乃至１２のいずれか一項に記載のアップリンク情報送信方法のステップを実現するコンピュータプログラムが記憶されたコンピュータ読み取り可能な記憶媒体。
【発明の詳細な説明】
【技術分野】
【０００１】
関連する出願の相互参照
本出願は２０１８年８月２４日に中国で出願された中国特許出願番号Ｎｏ．２０１８１０９７５１５３．６の優先権を主張しており、そのすべての内容は引用によりここに含まれている。
本発明は、通信技術の分野に関し、特に、アップリンク情報の送信方法および端末に関する。
【背景技術】
【０００２】
移動通信システムでは、複数送受信ポイント（ｍｕｌｔｉ  Ｔｒａｎｓｍｉｔ  Ｒｅｃｅｉｖｅ  Ｐｏｉｎｔ，  ｍｕｌｔｉ−ＴＲＰ）／複数アンテナパネル（ｍｕｌｔｉ−ｐａｎｅｌ）のシーンをサポートすることができ、マルチＴＲＰ伝送は、伝送の信頼性およびスループット性能を向上させることができ、例えば、ユーザー端末（Ｕｓｅｒ  Ｅｑｕｉｐｍｅｎｔ，ＵＥ）は、マルチＴＲＰから同じデータまたは異なるデータを受信することができる。
【０００３】
アップリンクにとって、ネットワークデバイスは、ＵＥによって送信されたアップリンクチャネルまたはアップリンク信号によって使用された１つ以上の送信ビーム情報を指示し、複数の送信ビーム情報は、マルチＴＲＰに対応することができる。
【０００４】
アップリンクチャネルは、物理アップリング制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）、物理アップリンク共有チャネル（Ｐｈｙｓｉｃａｌ  Ｕｐｌｉｎｋ  Ｓｈａｒｅｄ  Ｃｈａｎｎｅｌ，  ＰＵＳＣＨ）、および物理ランダムアクセスチャネル（Ｐｈｙｓｉｃａｌ  Ｒａｎｄｏｍ  Ａｃｃｅｓｓ  Ｃｈａｎｎｅｌ，ＰＲＡＣＨ）を含む。
【０００５】
アップリンク信号は、サウンディング参照信号（Ｓｏｕｎｄｉｎｇ  Ｒｅｆｅｒｅｎｃｅ  Ｓｉｇｎａｌ，ＳＲＳ）、アップリンク位相追跡参照信号（Ｕｐｌｉｎｋ  Ｐｈａｓｅ−Ｔｒａｃｋｉｎｇ  Ｒｅｆｅｒｅｎｃｅ  Ｓｉｇｎａｌ，ＵＬ  ＰＴＲＳ）、アップリンク復調参照信号（Ｕｐｌｉｎｋ  Ｄｅｍｏｄｕｌａｔｉｏｎ  ｒｅｆｅｒｅｎｃｅ  ｓｉｇｎａｌ，ＵＬ  ＤＭＲＳ）、ハイブリッド自動再送要求応答／非応答（Ｈｙｂｒｉｄ  ＡＲＱ，Ｈｙｂｒｉｄ  Ａｕｔｏｍａｔｉｃ  Ｒｅｐｅａｔ  Ｒｅｑｕｅｓｔ−ＡＣＫ／ＮＡＣＫ，ＨＡＲＱ−ＡＣＫ／ＮＡＣＫ）、スケジューリング要求（Ｓｃｈｅｄｕｌｉｎｇ  Ｒｅｑｕｅｓｔ，ＳＲ）、チャネル状態情報（Ｃｈａｎｎｅｌ  Ｓｔａｔｅ  Ｉｎｆｏｒｍａｔｉｏｎ，ＣＳＩ）報告などを含む。
【０００６】
現在のＲｅｌ−１５では、端末は空間領域伝送フィルタ（Ｓｐａｔｉａｌ  ｄｏｍａｉｎ  ｔｒａｎｓｍｉｓｓｉｏｎ  ｆｉｌｔｅｒ）によってアップリンク送信ビームを形成し、１つの空間関係（Ｓｐａｔｉａｌ  ｒｅｌａｔｉｏｎ）が１つのアップリンク送信ビームに対応している。ネットワークデバイスは、無線リソース制御（Ｒａｄｉｏ  Ｒｅｓｏｕｒｃｅ  Ｃｏｎｔｒｏｌ，ＲＲＣ）層の空間関係情報（ｓｐａｔｉａｌＲｅｌａｔｉｏｎｌｎｆｏ）シグナリングを介して、端末用に各アップリンクチャネル／信号の候補空間関係を設定する。ＰＵＣＣＨのために設定されたｓｐａｔｉａｌＲｅｌａｔｉｏｎｌｎｆｏシグナリングに複数の候補空間関係が含まれている場合、ネットワークデバイスは、メディアアクセス制御層制御ユニット（ＭＡＣ  ＣＥ）を介して、ＰＵＣＣＨに使用される１つ以上の空間関係をさらに指示する。ＰＵＳＣＨのために設定されたｓｐａｔｉａｌＲｅｌａｔｉｏｎｌｎｆｏシグナリングに複数の候補空間関係が含まれている場合、ネットワークデバイスはダウンリンク制御情報（Ｄｏｗｎｌｉｎｋ  Ｃｏｎｔｒｏｌ  Ｉｎｆｏｒｍａｔｉｏｎ，ＤＣＩ）  のプローブ参照信号リソース指示（ＳＲＳ  Ｉｎｄｉｃａｔｏｒ，ＳＲＩ）を介して、ＰＵＳＣＨに使用される１つ以上の空間関係をさらに指示する。ＳＲＳに関連付けられた参照信号（Ｒｅｆｅｒｅｎｃｅ  Ｓｉｇｎａｌ，ＲＳ）のタイプに応じて、ネットワークデバイスは、ＣＳＩ−ＲＳリソースインジケータ（ＣＳＩ−ＲＳ  Ｒｅｓｏｕｒｃｅ  Ｉｎｄｉｃａｔｏｒ，ＣＲＩ）  、同期信号ブロック番号  （Ｓｙｎｃｈｒｏｎｉｚａｔｉｏｎ  Ｓｉｇｎａｌ  Ｂｌｏｃｋ−Ｉｎｄｅｘ，ＳＳＢ−Ｉｎｄｅｘ）またはＳＲＩを介して、ＳＲＳリソースを送信する空間関係を指示する。
関連技術では、単一ＴＲＰシーンでの複数チャネル／信号のコリジョン後の再生破棄処理のみを規定しているが、複数チャネル／信号のコリジョン後の再生破棄処理を実現することはできず、マルチＴＲＰシーンへのサポートを強化する必要がある。
【発明の概要】
【発明が解決しようとする課題】
【０００７】
本発明の実施例は、関連技術において複数のアップリンク情報のコリジョン後の再生破棄処理方法が、マルチＴＲＰシーンをサポートすることができないという問題を解決するアップリンク情報送信方法及び端末を提+供する。
【０００８】
第１の態様では、本発明の実施例は、端末に適用されるアップリンク情報送信方法を提供しており、以下を含む。
複数のアップリンク情報がコリジョンした場合に、複数のアップリンク情報のうちの少なくとも一部のアップリンク情報の、ネットワークデバイスが端末用に設定または指示した空間関係のうちの少なくとも１つである目標空間関係を決定する。
同じ空間関係に従って送信されたアップリンク情報がコリジョンしない目標空間関係に基づいて、少なくとも一部のアップリンク情報を送信する。
【０００９】
第２の態様では、本発明の実施例は、以下を含む端末を提供する。
第１の決定モジュールは、複数のアップリンク情報がコリジョンした場合に、複数のアップリンク情報のうちの少なくとも一部のアップリンク情報の目標空間関係を決定するように構成されており、この目標空間関係は、ネットワークデバイスが端末に対して設定または指示された空間関係のうちの少なくとも１つである。
送信モジュールは、同じ空間関係によって送信されたアップリンク情報がコリジョンしない目標空間関係に従って、少なくとも一部のアップリンク情報を送信するように構成されている。
【００１０】
第３の態様では、本発明の実施例は、プロセッサと、メモリと、およびメモリ上に記憶され且つプロセッサ上で実行可能なコンピュータプログラムとを含む端末を更に提供しており、このコンピュータプログラムがプロセッサによって実行されるときに上述アップリンク情報送信方法のステップを実現する。
【００１１】
第４の態様では、本発明の実施例は、プロセッサによって実行されるときに上述アップリンク情報送信方法のステップを実現するコンピュータプログラムが記憶されたコンピュータ読み取り可能な記憶媒体をさらに提供する。
【発明の効果】
【００１２】
このように、本発明の実施例は、端末がマルチＴＲＰシーンをサポートする場合、複数のアップリンク情報がコリジョンすれば、コリジョンしたアップリンク情報を処理することができ、さらに、１つ以上のアップリンクビーム送信処理後のアップリンク情報をを採用し、マルチＴＲＰ伝送時のアップリンク情報の送信コリジョンを解決し、マルチＴＲＰシーンに対する端末のサポートを強化する。
【００１３】
本発明の実施例における技術的なソリューションについて、さらに明確に説明するために、以降では、本発明の実施例の記載のために必要とされる添付の図面について簡単に説明する。明らかに、以降の説明における添付の図面は、本発明のいくつかの実施例を示しているにすぎず、当業者なら、それでもなお、創造的な努力を伴わずにこれらの添付の図面からその他の図面を導き出し得る。
【図面の簡単な説明】
【００１４】
【図１】本発明の実施例が応用される移動通信システムのブロック図である。
【図２】本発明の実施例に係るアップリンク情報送信方法の流れを示す図である。
【図３】本発明の実施例に係る端末のモジュール構造の概略図である。
【図４】本発明の実施例に係わる端末アーキテクチャの概略図である。
【発明を実施するための形態】
【００１５】
本発明の実施例における技術的なソリューションについて、さらに明確に説明するために、以降では、本発明の実施例用に必要とされる添付の図面について簡単に説明する。明らかに、以降の説明における添付の図面は、本発明のいくつかの実施例を示しているにすぎず、当業者なら、それでもなお、創造的な努力を伴わずにこれらの添付の図面からその他の図面を導き出し得る。
【００１６】
本願の明細書および特許請求の範囲においては、「第１の」、「第２の」などの用語は、類似しているオブジェクトを区別するために使用されており、必ずしも特定のシーケンスまたは順序を記載するために使用されているとは限らない。そのような方法で呼ばれているデータは、適切な状況において交換可能であり、それによって、本願において記載されている本発明の実施例は、本明細書において示されているまたは記載されている順序以外の順序で実施されることが可能であるということを理解されたい。また、「含む」、「有する」という用語、およびその他の任意の変形は、非排他的な包含をカバーすることを意図しており、例えば、ステップまたはユニットのリストを含むプロセス、方法、システム、製品、またはデバイスは、明示的にリストアップされているステップまたはユニットに必ずしも限定されず、明示的にリストアップされてはいない、またはそのようなプロセス、方法、システム、製品、もしくはデバイスに固有のその他のユニットを含み得る。明細書および請求項中の「および/または」は、接続されたオブジェクトの少なくともそのうちの１つを意味する。
【００１７】
本明細書に記載された技術は、ロング・ターム・エヴォリューション（Ｌｏｎｇ Ｔｉｍｅ Ｅｖｏｌｕｔｉｏｎ, ＬＴＥ）/ＬＴＥのアドバンスト（ＬＴＥ-Ａｄｖａｎｃｅｄ, ＬＴＥ-Ａ）システムに限定されるものではなく、符号分割多元接続（Ｃｏｄｅ Ｄｉｖｉｓｉｏｎ Ｍｕｌｔｉｐｌｅ Ａｃｃｅｓｓ, ＣＤＭＡ）、時分割多元接続（Ｔｉｍｅ Ｄｉｖｉｓｉｏｎ Ｍｕｌｔｉｐｌｅ Ａｃｃｅｓｓ, ＴＤＭＡ）、周波数分割多元接続（Ｆｒｅｑｕｅｎｃｙ Ｄｉｖｉｓｉｏｎ Ｍｕｌｔｉｐｌｅ Ａｃｃｅｓｓ, ＦＤＭＡ、直交周波数分割多元接続（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ, ＯＦＤＭＡ）、単一キャリア周波数分割多元接続（Ｓｉｎｇｌｅ-ｃａｒｒｉｅｒＦｒｅｑｕｅｎｃｙ-Ｄｉｖｉｓｉｏｎ Ｍｕｌｔｉｐｌｅ Ａｃｃｅｓｓ, ＳＣ-ＦＤＭＡ）、および他のシステムのような様々な無線通信システムにも使用されることができる。「システム」および「ネットワーク」という用語は、しばしば交換可能に使用される。本明細書に記載された技術は、前述システムおよび無線技術のためにも、他のシステムおよび無線技術のためにも使用され得る。ただし、以下の説明では、ＮＲシステムを例示的に説明し、これらの技術は、ＮＲシステムアプリケーション以外のアプリケーションにも適用可能であるが、ＮＲシステムを例にして説明するために、以下の説明の大部分においてＮＲ用語を使用する。当業者は、用語が本発明の保護範囲に対する制限を構成しないことを理解することができる。
【００１８】
以下例示の説明は、特許請求の範囲、適用性、または設定を限定するものではない。本発明の精神および範囲から逸脱することなく、議論された要素の機能および設定に変更を加えることができる。様々な例では、各種規程またはコンポーネントを適宜に省略、置換、または追加することができる。例えば、記載された方法は、記載されたものとは異なる順序で実行され得、そして様々なステップが追加され、省略され、または組み合わされ得る。なお、特定の例を参照して説明されている特徴は、他の例で組み合わせることができる。
【００１９】
本発明の実施例が適用される無線通信システムのブロック図を示している図１を参照してください。無線通信システムは、ネットワークデバイス０１および端末０２を含む。その中で、ネットワークデバイス０１は、５Gおよびそれ以降のバージョン（例えば、ｇＮＧ、５Ｇ ＮＲ ＮＢなど）の基地局/他の通信システムにおける基地局（例えば、ｅＮＢ、ＷＬＡＮアクセスポイント、または他のアクセスポイントなど）またはコアネットワークであってもよく、同じ技術的効果が達成されれば、基地局は特定の技術用語に限定されるものではなく、ノードB、進化型ノードB、アクセスポイント、ベーストランシーバ基地局（Ｂａｓｅ Ｔｒａｎｓｃｅｉｖｅｒ Ｓｔａｔｉｏｎ, ＢＴＳ）、無線基地局、無線トランシーバ、基本サービスセット（Ｂａｓｉｃ Ｓｅｒｖｉｃｅ Ｓｅｔ, ＢＳＳ）、拡張サービスセット（Ｅｘｔｅｎｄｅｄ Ｓｅｖｉｃｅ Ｓｅｔ, ＥＳＳ）、Ｂノード、進化型Bノード（ｅＮＢ）、ホームＢノード、ホーム進化型Ｂノード、ＷＬＡＮアクセスポイント、ＷｉＦｉノード、または当該分野における他の適切な用語と称されることができ、本発明の実施例では、基地局またはＮＲシステムにおける送受信ポイント（ＴＲＰ）のみが例示されているが、基地局の特定のタイプを限定するものではないことに留意されたい。端末０２は、端末デバイスまたはユーザ端末（Ｕｓｅｒ Ｅｑｕｉｐｍｅｎｔ, ＵＥ）と呼ぶこともでき、携帯電話、タブレット（Ｔａｂｌｅｔ Ｐｅｒｓｏｎａｌ Ｃｏｍｐｕｔｅｒ）、ラップトップコンピュータ（Ｌａｐｔｏｐ Ｃｏｍｐｕｔｅｒ）、携帯情報端末（Ｐｅｒｓｏｎａｌ  Ｄｉｇｉｔａｌ Ａｓｓｉｓｔａｎｔ, ＰＤＡ、モバイルインターネットデバイス（Ｍｏｂｉｌｅ Ｉｎｔｅｒｎｅｔ Ｄｅｖｉｃｅ, ＭＩＤ）、ウェアラブルデバイス（Ｗｅａｒａｂｌｅ  Ｄｅｖｉｃｅ）、または車載デバイスなどの端末側デバイスであってもよく、本発明の実施例では、端末０２の具体的なタイプを限定するものではないことに留意されたい。
【００２０】
基地局は、基地局コントローラの制御の下で端末０２と通信することができ、様々な例では、基地局コントローラは、コアネットワークまたはいくつかの基地局の一部であり得る。いくつかの基地局は、バックホールを介してコアネットワークと制御情報またはユーザデータの通信を行うことができる。いくつかの例では、これらの基地局の一部は、有線または無線通信リンクであり得るバックホールリンクを介して、互いに直接または間接的に通信することができる。無線通信システムは、複数のキャリア（異なる周波数の波形信号）上での動作をサポートすることができる。複数キャリア送信機は、これらの複数のキャリア上で変調信号を同時に送信することができる。例えば、各通信リンクは、様々な無線技術に従って変調された複数キャリア信号であり得る。各変調された信号は、異なるキャリア上で送信され、制御情報（例えば、参照信号、制御チャネルなど）、オーバーヘッド情報、データなどを保持することができる。
【００２１】
基地局は、１つ以上のアクセスポイントアンテナを介して端末０２と無線通信することができる。各基地局は、それぞれの対応するカバレッジエリアに対して通信カバレッジを提供することができる。アクセスポイントのカバレッジエリアは、カバレッジエリアの一部のみを設定するセクタに分割されることができる。無線通信システムは、異なるタイプの基地局（例えば、マクロ基地局、マイクロ基地局、またはピコ基地局）を含み得る。基地局はまた、セルラーまたはWLAN無線アクセス技術のような異なる無線技術を利用することができる。基地局は、同じまたは異なるアクセスネットワークまたは事業者からの設置に関連付けることができる。異なる基地局のカバレッジエリア（同じまたは異なるタイプの基地局のカバレッジエリア、同じまたは異なる無線技術を利用するカバレッジエリア、または同じまたは異なるアクセスネットワークに属するカバレッジエリアを含む）は、重複することができる。
【００２２】
無線通信システムにおける通信リンクは、アップリンク（Ｕｐｌｉｌｎｋ,ＵＬ）伝送（例えば、端末０２からネットワークデバイス０１へ）を保持するためのアップリンク、またはダウンリンク（Ｄｏｗｎｌｉｎｋ, ＤＬ）送信（例えば、ネットワークデバイス０１から端末０２へ）を保持するためのダウンリンクを含み得る。ＵＬ伝送は逆方向リンク送信とも呼ばれ、ＤＬ送信は順方向リンク送信とも呼ばれる。
【００２３】
図１に示すシーンでは、ネットワークデバイス０１と端末０２との間の信号伝送は、空間領域送信フィルタ（Ｓｐａｔｉａｌ ｄｏｍａｉｎ ｔｒａｎｓｍｉｓｓｉｏｎ ｆｉｌｔｅｒ）によって形成された送信アンテナビームと、空間領域受信フィルタ（Ｓｐａｔｉａｌ ｄｏｍａｉｎ ｒｅｃｅｉｖｅ ｆｉｌｔｅｒ）によって形成された受信アンテナビームとによって実現される。図１のアップリンク伝送を例にとると、仮にネットワークデバイス０１はN個の受信ビームを形成するために各１つの空間領域受信フィルタを含むＮ個のＴＲＰを含み、端末０２はＭ個の送信ビームを形成するためにＭ個の空間領域送信フィルタを含むとすれば、ネットワークデバイス０１と端末０２の両方は、複数の送信/受信ビームを含むことができ、Ｎ、Ｍはいずれも１より大きい整数である。ＮとＭは同じであっても異なっていてもよく、本出願では限定しない。ネットワークデバイスによって設定または指示される空間関係は、空間領域伝送フィルタによって形成されるアップリンク送信ビームに対応する。
【００２４】
本発明の以下の実施例における端末は、マルチＴＲＰ/Ｐａｎｅｌをサポートする端末を含む、ネットワークデバイスと通信するデバイスのいずれであり得、この端末は、一つの空間関係に対応するビームを使用してアップリンク情報を送信するようにネットワークデバイスによって設定または指示されてもよいし、複数の空間関係に対応するビームを同時に使用してアップリンク情報を送信するようにネットワークデバイスによって設定または指示されてもよく、ネットワークデバイスが端末のために設定または指示する空間関係に対応するビームは、ビーム集合Ａを含み、ネットワークデバイスが複数のアップリンク情報のために設定または指示する送信ビームは、ビームの集合Ｂを含み、集合Ａは集合Ｂ以上であって、すなわち、端末がアップリンク情報を送信できれば、端末にはアップリンク情報を送信するビームが設定されているに違いない。
【００２５】
本発明の以下の実施例におけるアップリンク情報は、アップリンクデータ、ＣＳＩレポート、ＨＡＲＱ-ＡＣＫ、ＳＲ、ＳＲＳなどを含む。アップリンクチャネルは、複数のフォーマットのＰＵＣＣＨ、ＰＵＳＣＨ、およびＰＲＡＣＨを含む。アップリンク信号は、ＳＲＳなどを含む。複数のアップリンク情報がコリジョンすることは、複数のアップリンク情報を伝送するために使用されるチャネルまたは信号の時間・周波数リソースが、同じコンポーネントキャリア（Ｃｏｍｐｏｎｅｎｔ Ｃａｒｒｉｅｒ, ＣＣ）上または異なるＣＣ上で時間領域にわたって少なくとも１つの直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ,ＯＦＤＭ）シンボルの重複を有することである。例えば、同じＣＣ上で２つのＣＳＩ報告を伝送するために使用されるアップリンクチャネルによって占有される時間・周波数リソース（例えば、ＰＵＣＣＨとＰＵＣＣＨ、またはＰＵＣＣＨとＰＵＳＣＨ）が、時間領域にわたって少なくとも１つのＯＦＤＭシンボルの重複を有する場合は、この２つのＣＳＩ報告がコリジョンする。例えば、同じＣＣ上でSRを伝送するためのフォーマット０のＰＵＣＣＨ（ＰＵＣＣＨ Ｆｏｒｍａｔ ０）によって占有される時間・周波数リソースと、ＨＡＲＱ−ＡＣＫを送信するためのフォーマット１のＰＵＣＣＨ（ＰＵＣＣＨ Ｆｏｒｍａｔ １）によって占有される時間・周波数リソースとが、時間領域において少なくとも１つのＯＦＤＭシンボルの重複を有する場合は、このＳＲとＨＡＲＱ−ＡＣＫがコリジョンする。例えば、同じＣＣ上で非周期的ＳＲＳによって占有される時間・周波数リソースと、１つのＣＳＩレポートを伝送するために使用されるフォーマット２のＰＵＣＣＨ（ＰＵＣＣＨ Ｆｏｒｍａｔ ２）によって占有される時間・周波数リソースとが、時間領域において少なくとも１つのＯＦＤＭシンボルの重複を有する場合は、A-ＳＲＳとＣＳＩレポートがコリジョンする。
【００２６】
図２に示すように、本発明の実施例は、マルチＴＲＰ伝送をサポートする端末に適用されるアップリンク情報送信方法を提供しており、以下のステップを含む。
【００２７】
ステップ２１は、複数のアップリンク情報がコリジョンした場合に、複数のアップリンク情報のうちの少なくとも一部のアップリンク情報の目標空間関係がを決定し、この目標空間関係は、ネットワークデバイスが端末用に設定または指示されたすべての空間関係のうちの少なくとも１つである。
【００２８】
設定とは、ネットワークデバイスが、上位層シグナリング（例えば、ＲＲＣシグナリング）を介して端末のための空間的関係を設定することを指し得る。指示とは、ネットワークデバイスが、ＭＡＣ ＣＥまたはＤＣＩを介して端末のための空間関係を指示することを指し得る。例えば、ネットワークデバイスは、ＲＲＣのｓｐａｔｉａＲｅｌａｔｉｏｎｌｎｆｏシグナリングによって、端末用の各々のアップリンクチャネル/信号の候補空間関係を設定する。複数の候補空間関係がＰＵＣＣＨのために設定されたｓｐａｔｉａＲｅｌａｔｉｏｎｌｎｆｏシグナリングに含まれる場合、ネットワークデバイスは、ＭＡＣ ＣＥを介してＰＵＣＣＨによって使用される１つ以上の空間関係をさらに指示する。複数の候補空間関係がＰＵＳＣＨのために設定されたｓｐａｔｉａＲｅｌａｔｉｏｎｌｎｆｏシグナリングに含まれる場合、ネットワークデバイスは、ＤＣＩのＳＲＩを介してＰＵＳＣＨによって使用される１つ以上の空間関係をさらに指示する。ネットワークデバイスがＲＲＣのｓｐａｔｉａＲｅｌａｔｉｏｎｌｎｆｏシグナリングによって端末用にそれぞれのアップリンクチャネル/信号の候補空間関係を１つ設定する場合、ネットワークデバイスは、ＭＡＣ ＣＥまたはＤＣＩによってどの空間関係を使用するかをもはや具体的に指示することができないことに留意されたい。
【００２９】
本発明の実施例では、システムは複数の空間関係をサポートしており、ネットワークデバイスは、１つ以上の空間関係に対応する複数のダウンリンクビーム送信をサポートすることができ、端末は、１つ以上の空間関係に対応する複数のアップリンクビーム送信をサポートすることもできる。複数のアップリンク情報のコリジョンは、１つのアップリンクビーム上の複数のアップリンク情報のコリジョン、例えば、ビーム１上のアップリンク情報１とアップリンク情報２とのコリジョンを含むことができ、また、異なるアップリンクビーム上で伝送された複数のアップリンク情報のコリジョン、例えば、ビーム１上のアップリンク情報１とビーム２上のアップリンク情報３とのコリジョンを含むことができる。
【００３０】
ここで、少なくとも一部のアップリンク情報とは、端末が決定した送信対象のアップリンク情報を指し、コリジョンしたすべてのアップリンク情報であり得るし、コリジョンしたアップリンク情報の一部であり得る。 
【００３１】
ステップ２２は、同じ空間関係に従って送信されたアップリンク情報がコリジョンしない目標空間関係に基づいて、少なくとも一部のアップリンク情報を送信する。
【００３２】
ここで、決定された目標空間関係は１つでも複数でもよいが、同一空間関係に従って送信されたアップリンク情報はコリジョンせず、端末はアップリンク情報のコリジョン問題を解決することができる。異なる空間関係に基づいて送信されたアップリンク情報はコリジョンする可能性があるが、端末は同時に複数の空間関係に基づいて送信することをサポートする可能性があるため、端末はコリジョンした複数のアップリンク情報の伝送の有効性と信頼性をある程度保証することができることに留意されたい。例えば、目標空間関係は、目標ビーム１と目標ビーム２とに対応し、目標ビーム１上のアップリンク情報１と目標ビーム２上のアップリンク情報３とがコリジョンし、端末は、目標ビーム１と目標ビーム２とを同時に送信することができ、したがって、コリジョンしたアップリンク情報１とアップリンク情報３とを同時に送信することができる。
【００３３】
ステップ２２の前に、複数のアップリンク情報のうち送信対象の少なくとも一部のアップリンク情報を決定することをさらに含む。具体的には、複数のアップリンク情報のうち送信対象の少なくとも一部のアップリンク情報を決定する方法は、以下を含むが、これらに限定されない。
【００３４】
方法１-１は、再生破棄基準に従って、送信対象の少なくとも一部を決定する。
【００３５】
例えば、ネットワークデバイスは、アップリンク情報１を送信するアップリンクチャネル１およびアップリンク情報２を送信するアップリンクチャネル２の両方が、空間関係１に対応するビーム１を使用して送信されるように設定または指示する。アップリンクチャネル１とアップリンクチャネル２によって占有される時間・周波数リソースが時間領域においてＯＦＤＭシンボルが重複する場合、アップリンク情報１とアップリンク情報２はコリジョンする。事前定義されている再生破棄基準に従って、アップリンク情報１とアップリンク情報２とを再生化処理することを決定した場合、再生破棄基準に従ってアップリンク情報１とアップリンク情報２を再生し、再生処理されたアップリンク情報を伝送するためのアップリンクチャネルを決定する（例えば、アップリンクチャネル２上で再生化処理されたアップリンク情報１とアップリンク情報２とを送信する。）。事前定義されている再生破棄基準に従って、アップリンク情報１とアップリンク情報２とを破棄処理することを決定した場合、再生破棄基準に従ってアップリンク情報１およびアップリンク情報２のいずれか一方を破棄し、破棄処理されたアップリンク情報を送信するためのアップリンクチャネルを決定する（例えば、アップリンク情報１を破棄する時、アップリンク情報１を送信するためのアップリンクチャネル１を送信せず、アップリンクチャネル２上で破棄処理されたアップリンク情報２を送信する。）。
【００３６】
例えば、ネットワークデバイスは、アップリンク情報１を伝送するアップリンクチャネル１が、空間関係１に対応するビーム１を使用して送信され、アップリンク情報３を送信するアップリンクチャネル３が、空間関係２に対応するビーム２を使用して送信されるように設定または指示する。アップリンクチャネル１とアップリンクチャネル３によって占有される時間・周波数リソースが時間領域においてＯＦＤＭシンボルが重複する場合、アップリンク情報１とアップリンク情報３はコリジョンする。事前定義されている再生破棄基準に従って、アップリンク情報１とアップリンク情報３とを再生処理することを決定した場合、再生破棄基準に従ってアップリンク情報１とアップリンク情報３とを再生し、再生処理されたアップリンク情報を送信するためのアップリンクチャネルを決定する（例えば、アップリンクチャネル３上で、再生化処理されたアップリンク情報１とアップリンク情報３とを送信する。）。事前定義されている再生破棄基準に従って、アップリンク情報１およびアップリンク情報３を破棄処理することを決定した場合、再生破棄基準に従ってアップリンク情報１およびアップリンク情報３のいずれか一方を破棄し、破棄処理されたアップリンク情報を送信するためのアップリンクチャネルを決定する（例えば、アップリンク情報１を破棄する時、アップリンク情報１を送信するためのアップリンクチャネル１を送信せず、アップリンクチャネル３上で破棄処理されたアップリンク情報３を送信する。）。
【００３７】
再生破棄基準は、アップリンク情報コリジョン後の処理規則であり得る。例えば、再生破棄基準は、以下を含むが、これらに限定されない:
【００３８】
１.コリジョンしたアップリンク情報を再生化処理または破棄処理するかどうかは、コリジョンしたアップリンク情報の内容（例えば、アップリンクデータ、各種報告周期タイプのＣＳＩレポート、ＨＡＲＱ−ＡＣＫ、SR、各種送信周期タイプのＳＲＳなど）、これらのアップリンク情報が属するセル、これらのアップリンク情報を伝送するチャネル/信号（例えば、各種フォーマットのＰＵＳＣＨ、ＰＵＣＣＨ、またはＳＲＳなど）などの要素に基づいて共同で決定するものである。再生化処理の採用すを決定した場合、コリジョンした複数のアップリンク情報を再生し（すなわち、符号化率の調整が規則的に必要とされ、アップリンクチャネルの時間・周波数リソースにマッピングする）、再生処理されたアップリンク情報を伝送するためのアップリンクチャネルを決定する。破棄処理を採用することを決定した場合、コリジョンしたアップリンク情報の優先度に応じて破棄を行い、優先度の低いアップリンク情報を破棄する。アップリンク情報の優先度も、コリジョンしたアップリンク情報の内容（例えば、アップリンクデータ、ＳＲＳ、各種報告周期タイプのＣＳＩレポート、ＨＡＲＱ−ＡＣＫ、SR、ＳＲＳなど）、これらのアップリンク情報が属するセル、これらのアップリンク情報を伝送するチャネル/信号（例えば、各種フォーマットのＰＵＳＣＨ、ＰＵＣＣＨ、またはＳＲＳ）などの要素に基づいて共同で決定されるものである。
【００３９】
方法１-２は、送信対象の少なくとも一部のアップリンク情報を決定するために、ネットワークデバイスの指示に従って、複数のアップリンク情報のうちの少なくとも１つを破棄する。
【００４０】
この方法は、ネットワークデバイスは、コリジョンした複数のアップリンク情報のうちのいくつかのアップリンク情報を破棄されるように設定または指示する。例えば、ネットワークデバイスは、アップリンク情報１を伝送するＰＵＣＣＨが、空間関係１に対応するビーム１を使用して送信するように設定または指示する。ネットワークデバイスは、アップリンク情報２を送信するＰＵＳＣＨが、空間関係２に対応するビーム２を使用して送信するように設定または指示する。アップリンクチャネル１とアップリンクチャネル２によって占有される時間・周波数リソースが時間領域においてＯＦＤＭシンボルが重複する場合、アップリンク情報１とアップリンク情報２はコリジョンする。ネットワークデバイスは、ＰＵＣＣＨ上で送信されたアップリンク情報を破棄するように端末に指示する。端末は、ネットワークデバイスの指示により、ＰＵＣＣＨ上で伝送されたアップリンク情報１を破棄し、アップリンク情報２を伝送するＰＵＳＣＨのみを送信する。
【００４１】
方法１-３は、送信対象の少なくとも一部のアップリンク情報を決定するために、事前設定されている破棄基準に従って、複数のアップリンク情報の少なくとも１つを破棄する。
【００４２】
この方法は、コリジョンした複数のアップリンク情報のうちのいくつかのアップリンク情報を、事前設定されている破棄基準に従って破棄することである。また、事前設定されている破棄基準は、アップリンク情報の優先度、アップリンク情報が属するチャネル/信号の優先度、空間関係の優先度、および端末の端末機能に関連する。例えば、優先度が最も高い又は最も低いアップリンク情報を破棄したり、優先度が最も高い又は最も低いアップリンク空間関係で送信されるように設定又は指示されたアップリンク情報を破棄するなどである。
【００４３】
事前設定されている破棄基準は、アップリンク情報コリジョン後の処理ルールであり得る。例えば、事前設定されている破棄基準は、以下を含むが、これらに限定されない。
１.複数のアップリンク情報のうち優先的に使用されるチャネル/信号に対応するアップリンク情報以外の情報を破棄する。例えば、事前設定されている破棄基準がＰＵＣＣＨを優先的に使用することを決定した場合、コリジョンした複数のアップリンク情報のうち、他のチャネルまたは信号  において保持されるアップリンク情報を破棄する。
２.複数のアップリンク情報のうち、優先的に使用される空間関係に対応するもの以外の情報を破棄する。例えば、事前設定されている破棄基準が空間関係１を優先的に使用することを決定した場合、コリジョンした複数のアップリンク情報のうち、他の空間関係に対応するアップリンク情報を破棄する。
【００４４】
方法１-２および方法１-３では、複数のアップリンク情報のうちの少なくとも１つを破棄するステップは、複数のアップリンク情報のうちの第１の部分アップリンク情報を破棄することを含み、前記第１の部分アップリンク情報は、設定または指示された目標空間関係のうち少なくとも１つの空間関係によって送信されたアップリンク情報である。すなわち、方法１-２では、ネットワークデバイスは、以前にある空間関係に従って送信されるように設定されたアップリンク情報を破棄するように端末に指示し、方法１-３では、端末は、事前設定されている破棄基準に基づいて、以前にある空間関係に従って送信されるように設定されたアップストリーム情報を破棄することを決定する。又は、複数のアップリンク情報のうちの少なくとも１つを破棄するステップは、複数のアップリンク情報のうちの第２の部分アップリンク情報を破棄することを含み、前記第２の部分アップリンク情報は、設定または指示された目標チャネル/信号のうちの少なくとも１つのチャネル/信号によって送信されたアップリンク情報である。すなわち、方法１-２では、ネットワークデバイスは、以前にあるチャネル/信号送信を保持するように設定されたアップリンク情報を破棄するように端末に指示し、方法１-３では、端末は、事前設定されている破棄基準に基づいて、以前にあるチャネル/信号送信を保持するように設定されたアップリンク情報を破棄することを決定する。
【００４５】
方式１-４は、複数のアップリンク情報の全てを、送信対象の少なくとも一部のアップリンク情報として決定する。
【００４６】
この方式では、コリジョンした複数のアップリンク情報が全て保持され、同一空間関係に対応するアップリンク情報のコリジョンを回避するために、同一空間関係に対応してコリジョンしたアップリンク情報を、他の空間関係に対応するビームに切り替えて送信することができる。
【００４７】
本発明の実施例では、１つの空間関係は１つのアップリンク・ビームに対応する。端末は、１つの空間関係のみに従って同時にアップリンク情報を送信する能力をサポートすることができ、すなわち、端末は、１つのビームに従ってアップリンク情報を送信することをサポートする能力を有する。端末は、複数の空間関係に従って同時にアップリンク情報を送信する能力をサポートすることもでき、すなわち、端末は、１つ以上のビームに従ってアップリンク情報を送信することをサポートする能力を有する。端末が１つ以上のビームに従ってアップリンク情報を送信する能力をサポートする場合、１ビームのみを用いてアップリンク情報を送信することも可能であることに留意されたい。
【００４８】
本発明の実施例は、端末がマルチＴＲＰをサポートするシーンにおいて、端末によって送信された複数のアップリンク情報がコリジョンした場合、コリジョン処理後のアップリンク情報の少なくとも一部の目標空間関係を得るために、コリジョンしたアップリンク情報を破棄、再生、または切替するなど、複数のアップリンク情報をコリジョン処理する。この少なくとも一部のアップリンク情報は、目標空間関系に対応するビーム上で送信されている。したがって、端末がマルチＴＲＰをサポートするシーンにおいてアップリンク情報のコリジョン後、どのようにアップリンク情報を送信するかという解決策を提供しており、マルチＴＲＰシーンに対する端末のサポートを強化する。
【００４９】
本発明の以下の実施例は、異なるシーンに関して本発明のアップリンク情報送信方法をさらに説明する。
【００５０】
シーン１は、端末は、同じ空間関係に従って複数のアップリンク情報を送信するように設定または指示されている。
【００５１】
このシーンは、複数のコリジョンしたアップリンク情報が、同じ空間関係に従って送信されるように事前設定または指示されていることを意味する。すなわち、複数のアップリンク情報がコリジョンするとは、同じ空間関係に対応するアップリンクビームを使用して送信するようにネットワークデバイスによって設定または指示された複数のアップリンク情報がコリジョンすることである。
【００５２】
例えば、ＰＵＣＣＨは、空間関係１に対応するビーム１を使用して送信するようにネットワークデバイスによって設定または指示される。ＰＵＳＣＨは、空間関係１に対応するビーム１を使用して送信するようにネットワークデバイスによって設定または指示される。ＰＵＣＣＨおよびＰＵＳＣＨの時間領域リソースは、時間領域において、少なくとも１つのＯＦＤＭシンボルの重複を有して、ＰＵＣＣＨとＰＵＳＣＨ上で伝送されたアップリンク情報がコリジョンする。
【００５３】
別の例では、１つのＰＵＣＣＨは、空間関係１に対応するビーム１を使用して送信するようにネットワークデバイスによって設定または指示され、もう１つのＰＵＳＣＨは、空間関係１に対応するビーム１を使用して送信するように設定または指示され、この２つのＰＵＣＣＨの時間・周波数リソースが、時間領域において少なくとも１つのＯＦＤＭシンボルの重複を有する場合は、この２つのＰＵＣＣＨ上で伝送されたアップリンク情報がコリジョンする。
【００５４】
別の例では、ＰＵＣＣＨ / ＰＵＳＣＨは、空間関係１に対応するビーム１を使用して送信するようにネットワークデバイスによって設定または指示され、ＳＲＳは、空間関係１に対応するビーム１を使用して送信するように設定または指示され、ＰＵＣＣＨ/ ＰＵＳＣＨおよびＳＲＳの時間・周波数がリソースは、時間領域において少なくとも１つのＯＦＤＭシンボルの重複を有して、ＰＵＣＣＨ / ＰＵＳＣＨ上で伝送されたアップリンク情報とＳＲＳとがコリジョンする。
【００５５】
このシーンでは、前記のステップ２１は、次の方法で実現できるが、これらに限定されない。
【００５６】
方法２-１は、複数のアップリンク情報のために設定または指示された元空間関係を、目標の空間関係として決定する。
【００５７】
この方法では、仮にＰＵＣＣＨとＰＵＳＣＨが、空間関係１に対応するビーム１で送信するようにネットワークデバイスによって設定され、ＰＵＣＣＨとＰＵＳＣＨ上で伝送されたアップリンク情報がコリジョンするとすれば、空間関係１を目標空間関係として決定し、空間関係１で送信されたアップリンク情報がコリジョンしないことを保証する。
【００５８】
少なくとも一部のアップリンク情報の決定は、前記の方法１-１、１-２、および１-３に従ってＰＵＣＣＨおよびＰＵＳＣＨのいずれかを破棄することができる。
または、
【００５９】
方法２-２は、ネットワークデバイスによって設定または指示された新空間関係を、複数のアップリンク情報のために設定または指示された元空間関係と異なる目標空間関係として決定する。
【００６０】
この方法では、仮にＰＵＣＣＨとＰＵＳＣＨが、空間関係１に対応するビーム１で送信するようにネットワークデバイスによって設定または指示され、ＰＵＣＣＨとＰＵＳＣＨ上で伝送されたアップリンク情報がコリジョンするとすれば、空間関係２を目標空間関係とするようにネットワークデバイスによって設定または指示されることもできる。
【００６１】
少なくとも一部のアップリンク情報の決定は、前記の方法１-１、１-２、および１-３に従ってＰＵＣＣＨおよびＰＵＳＣＨのいずれかを破棄することができる。
または、
【００６２】
方法２-３は、事前設定されている切替基準に従って決定された新空間関係を、目標空間関係として決定する。新空間関係は、複数のアップリンク情報のために設定または指示された元空間関係と異なる。
【００６３】
この方法では、仮にＰＵＣＣＨとＰＵＳＣＨが、空間関係１に対応するビーム１で送信するようにネットワークデバイスによって設定または指示され、ＰＵＣＣＨとＰＵＳＣＨ上で伝送されたアップリンク情報がコリジョンするとすれば、端末は、事前設定されている切替基準に従って空間関係２を目標空間関係として決定することもできる。
【００６４】
少なくとも一部のアップリンク情報の決定は、前記の方法１-１、１-２、および１-３に従ってＰＵＣＣＨおよびＰＵＳＣＨのいずれかを破棄することができる。
【００６５】
この方法は、端末が１つの空間関係のみに従ってアップリンク情報を同時に送信する機能をサポートするシーンに適用し、端末が複数の空間関係に従ってアップリンク情報を同時に送信する機能をサポートするシーンにも適用することに留意されたい。端末が複数の空間関係に従ってアップリンク情報を同時に送信する機能をサポートする場合、ステップ２１は次の方法でも実現できる。
【００６６】
方法２-４は、複数のアップリンク情報のために設定または指示された元空間関係と、元空間関係と異なるネットワークデバイスによって設定または指示された新空間関係とを、目標空間関係として決定する。
【００６７】
この方法では、仮にＰＵＣＣＨとＰＵＳＣＨが、空間関係１に対応するビーム１で送信するようにネットワークデバイスによって設定または指示され、ＰＵＣＣＨとＰＵＳＣＨ上で伝送されたアップリンク情報がコリジョンするとすれば、空間関係１を目標空間関係の１つとして決定することができ、また、空間関係２を目標空間関係とするようにネットワークデバイスによって設定または指示されることもできる。
【００６８】
少なくとも一部のアップリンク情報の決定は、前記の方法１-１、１-２、および１-３に従ってＰＵＣＣＨおよびＰＵＳＣＨ上で伝送されたアップリンク情報のうちの１つを破棄することができ、または前記の方法１-１および１-４に従って、コリジョンしたアップリンク情報を保留し、同じ空間関係に対応するアップリンク情報を他の空間関係に切り替えて送信し、目標空間関係における同じ空間関係に従って送信されるアップリンク情報がコリジョンしないことを保証する。
【００６９】
方法２-５は、複数のアップリンク情報のために設定または指示された元空間関係と、元空間関係と異なる事前設定されている切替基準に従って決定された新空間関係とを、目標空間関係として決定する。
【００７０】
この方法では、仮にＰＵＣＣＨとＰＵＳＣＨが、空間関係１に対応するビーム１で送信するようにネットワークデバイスによって設定また指示され、ＰＵＣＣＨとＰＵＳＣＨ上で伝送されたアップリンク情報がコリジョンするとすれば、空間関係１を目標空間関係として決定することができ、また、空間関係２を目標空間関係とするようにネットワークデバイスによって設定または指示されることもできる。
【００７１】
２-２と同様に、少なくとも一部のアップリンク情報の決定は、上記方法１-１、１-２、１-３に従ってＰＵＣＣＨおよびＰＵＳＣＨ上で伝送されたアップリンク情報のうちの１つを破棄することができ、または前記の方法１-１および１-４に従って、コリジョンしたアップリンク情報を保留し、同じ空間関係に対応するアップリンク情報を他の空間関係に切り替えて送信することもできる。
【００７２】
以上は、複数のコリジョンしたアップリンク情報が同じ空間関係に従って送信されるシーンを説明している。以下は、本発明の実施例の他のシーンを説明する。
【００７３】
シーン２は、端末は、複数の異なる空間関係に従って複数のアップリンク情報を送信するように設定または指示されている。
【００７４】
このシーンは、複数のコリジョンしたアップリンク情報が、複数の異なる空間関係に従って送信されるように事前設定または指示されていることを意味する。すなわち、複数のアップリンク情報のコリジョン発生は、異なる空間関係情報に対応するアップリンクビームを使用して送信するようにネットワークデバイスによって設定または指示された複数のアップリンク情報がコリジョンすることを含み得る。
【００７５】
例えば、ＰＵＣＣＨは、空間関係１に対応するビーム１を使用して送信するようにネットワークデバイスによって設定または指示され、ＰＵＳＣＨは、空間関係２に対応するビーム２を使用して送信するようにネットワークデバイスによって設定または指示され、ＰＵＣＣＨおよびＰＵＳＣＨの時間・周波数リソースは時間領域において、少なくとも１つのＯＦＤＭシンボルの重複を有して、ＰＵＣＣＨとＰＵＳＣＨ上で伝送されたアップリンク情報がコリジョンする。
【００７６】
別の例では、１つのＰＵＣＣＨは、空間関係１に対応するビーム１を使用して送信するようにネットワークデバイスによって設定または指示され、もう１つのＰＵＣＣＨは、空間関係２に対応するビーム２を使用して送信するようにネットワークデバイスによって設定または指示され、この２つのＰＵＣＣＨの時間・周波数リソースは、時間領域において少なくとも１つのＯＦＤＭシンボルの重複を有して、この２つのＰＵＣＣＨ上で伝送されたアップリンク情報がコリジョンする。
【００７７】
別の例では、ＰＵＣＣＨ / ＰＵＳＣＨは、空間関係１に対応するビーム１を使用して送信するようにネットワークデバイスによって設定または指示される。ＳＲＳは、空間関係２に対応するビーム２を使用して送信するようにネットワークデバイスによって設定または指示される。ＰＵＣＣＨ/ ＰＵＳＣＨおよびＳＲＳの時間・周波数リソースは、時間領域において少なくとも１つのＯＦＤＭシンボルの重複を有して、ＰＵＣＣＨ / ＰＵＳＣＨ上で伝送されたアップリンク情報とＳＲＳとがコリジョンする。
【００７８】
このシーンでは、上記のステップ２１は、以下の方法のうちの少なくとも１つによって実現でき、これらに限定されない。
【００７９】
方法３-１は、事前設定されている切替基準、またはネットワークデバイスの設定または指示に従って、複数のアップリンク情報のために設定または指示された元空間関係のうちの少なくとも１つを目標空間関係として決定する。
【００８０】
この方法では、仮にＰＵＣＣＨが空間関係１に対応するビーム１で送信するように、ＰＵＳＣＨが空間関係２に対応するビーム２で送信するようにネットワークデバイスによって設定または指示され、ＰＵＣＣＨとＰＵＳＣＨ上で伝送されたアップリンク情報がコリジョンするとすれば、事前設定されている切替基準やネットワークデバイスの設定または指示に従って決定された空間関係１を、事前設定されている切替基準やネットワークデバイスの設定または指示に従って決定された空間関係２を、目標空間関係として決定する。コリジョン処理後のアップリンク情報を伝送するために使用されるアップリンクチャネル（例えば、ＰＵＳＣＨ）は、目標空間関係に対応するビームで送信される。
【００８１】
端末が１つの空間関係のみに従ってアップリンク情報を同時に送信する機能をサポートする場合は、事前設定されている切替基準、またはネットワークデバイスの設定または指示に従って、複数のアップリンク情報のために設定または指示された元空間関係のうちの１つを、目標空間関係として決定する。
【００８２】
端末が複数の空間関係に従ってアップリンク情報を同時に送信する機能をサポートする場合は、事前設定されている切替基準またはネットワークデバイスの設定または指示に従って、複数のアップリンク情報のために設定または示された元空間関係の複数を、目標空間関係として決定する。または、事前設定されている切替基準、またはネットワークデバイスの設定または指示に従って、複数のアップリンク情報のために設定または指示された元空間関係のうちの少なくとも１つを目標空間関係として決定し、且つ以下の方法３-２または３-３に従って決定された新空間関係のうちの少なくとも１つを、目標空間関係として決定することができる。
【００８３】
少なくとも一部のアップリンク情報の決定は、前記の方法１-１、１-２、１-３に従ってＰＵＣＣＨおよびＰＵＳＣＨ上で伝送されたアップリンク情報の１つを破棄することができ、前記の方法１-１に従ってコリジョンしたアップリンク情報を保留することもできる。
【００８４】
方法３-２は、元空間関係と異なるネットワークデバイスによって設定または指示された新空間関係を目標空間関係として決定する。
【００８５】
この方法では、仮にＰＵＣＣＨが空間関係１に対応するビーム１で送信するように、ＰＵＳＣＨが空間関係２に対応するビーム２で送信するようにネットワークデバイスによって設定または指示され、ＰＵＣＣＨとＰＵＳＣＨ上で伝送されたアップリンク情報がコリジョンするとすれば、空間関係３を目標空間関係としてネットワークデバイスによって設定または指示されることができる。コリジョン処理後のアップリンク情報を伝送するために使用されるアップリンクチャネル（例えば、ＰＵＳＣＨ）は、目標空間関係に対応するビームで送信される。
【００８６】
端末が１つの空間関係のみに従ってアップリンク情報を同時に送信する機能をサポートする場合は、ネットワークデバイスによって設定または指示された１つの新空間関係を目標空間関係として決定する。
【００８７】
端末が複数の空間関係に従ってアップリンク情報を同時に送信する機能をサポートする場合は、ネットワークデバイスによって設定または指示された複数の新空間関係を目標空間関係として決定する。または、ネットワークデバイスによって設定または指示された新空間関係のうちの少なくとも１つを目標空間関係として決定し、以下の方法３-１で決定された元空間関係のうちの少なくとも１つを目標空間関係として決定することができる。
【００８８】
３-１と同様に、少なくとも一部のアップリンク情報の決定は、上記の方法１-１、１-２、および１-３に従って、ＰＵＣＣＨとＰＵＳＣＨのいずれかを破棄でき、上記の方法１-１に従ってＰＵＣＣＨとＰＵＳＣＨ上で伝送されたコリジョンしたアップリンク情報を保留することもできる。
【００８９】
方法３-３は、事前設定されている切替基準に従って決定された新空間関係を目標空間関係として決定する。
【００９０】
この方法では、仮にＰＵＣＣＨが空間関係１に対応するビーム１で送信するように、ＰＵＳＣＨが空間関係２に対応するビーム２で送信するようにネットワークデバイスによって設定または指示され、ＰＵＣＣＨと ＰＵＳＣＨ上で伝送されたアップリンク情報がコリジョンするとすれば、端末は、事前設定されている切替基準に従って空間関係３を目標空間関係として決定することもできる。コリジョン処理後のアップリンク情報を伝送するために使用されるアップリンクチャネル（例えば、ＰＵＳＣＨ）は、目標空間関係に対応するビームで送信される。
【００９１】
端末が１つの空間関係のみに従ってアップリンク情報を同時に送信する機能をサポートする場合は、事前設定されている切替基準に従って決定された新空間関係のうちの１つを目標空間関係として決定する。
【００９２】
端末が複数の空間関係に従ってアップリンク情報を同時に送信する機能をサポートする場合は、事前設定されている切替基準に従って決定された新空間関係の複数を目標空間関係として決定する。または、事前設定されている切替基準に従って決定された新空間関係のうちの少なくとも１つを目標空間関係として決定し、且つ以下の方法３−１で決定された元空間関係のうちの少なくとも１つを目標空間関係として決定することもできる。
【００９３】
３-１および３-２と同様に、少なくとも一部のアップリンク情報の決定は、上記の方法１-１、１-２および１-３に従って、ＰＵＣＣＨと ＰＵＳＣＨ上で伝送されたアップリンク情報の１つを破棄することができ、方法１-１に従ってＰＵＣＣＨと ＰＵＳＣＨ上で伝送されたコリジョンしたアップリンク情報を保留することもできる。
【００９４】
ＳＲＳがアップリンクチャネルの品質を測定するために使用されるものであるため、ＳＲＳは、破棄されない限り、設定または指定された空間関係でのみ送信し、且つ他の空間関係に切り替えて送信することはできないことに留意されたい。コリジョンしたアップリンク情報を別の空間関係に切り替えて送信することができる場合、ＳＲＳが設定または示された元空間関係で送信されるようにすることを優先し、他のアップリンク情報を他の空間関係に切り替えて送信する。
【００９５】
その中で、シーン１の方法である２-３と２-５、およびシーン２の方法である３-１と３-３は、いずれも事前設定されている切替基準、目標空間関係のうちの少なくとも１つの空間関係を決定し、具体的に、事前設定されている切替基準は以下の少なくとも１つを含み得るが、これらに限定されない。
（１）目標チャネル/信号のために設定または指示された第１の空間関係を、目標空間関係として決定する。
【００９６】
目標チャネルは、任意のタイプのアップリンクチャネルであり得る。例えば、目標チャネルは、物理ランダムアクセスチャネル（Physical Random AＣＣess Channel,  ＰＲＡＣＨ）、物理アップリンク制御チャネルＰＵＣＣＨ、および物理アップリンク共有チャネルＰＵＳＣＨ等の少なくとも１つを含み得る。目標信号は、任意のタイプのアップリンク信号であり得る。例えば、目標信号は、サウンディング基準信号ＳＲＳを含み得る。
【００９７】
ＰＵＣＣＨに対応する空間関係を目標空間関係として決定することが事前設定されている切替基準によって指示されると想定する場合。この場合では、仮に、ＳＲＳとＰＵＳＣＨの両方が空間関係１に対応するビーム１で送信するように、ＰＵＣＣＨが空間関係２に対応するビーム２で送信するようにネットワークデバイスによって設定され、ＰＵＳＣＨ上で送信されたアップリンク情報とＳＲＳとがコリジョンするとすれば、端末は空間関係２を目標空間関係の１つとして決定する。
【００９８】
シーン１での方法２-３およびシーン２での方法３-１および３-３については、端末が１つの空間関係のみに従ってアップリンク情報を同時に送信する機能をサポートする場合、端末はＰＵＳＣＨをＰＵＣＣＨに対応するビーム２に切り替えて送信することができる。ＰＵＳＣＨとＰＵＣＣＨ上で伝送されたアップリンク情報がコリジョンした場合、再生または破棄処理後のアップリンク情報を送信するためのアップリンクチャネル（ＰＵＳＣＨなど）はビーム２で送信される。ＰＵＳＣＨとＰＵＣＣＨで送信されたアップリンク情報がコリジョンしない場合、ＰＵＣＣＨとＰＵＳＣＨの両方ともビーム２で送信される。このタイムスロットでＰＵＣＣＨのアップリンク情報の送信がない場合、ＰＵＳＣＨはビーム２で送信される。
【００９９】
シーン１の方法２-５およびシーン２の方法３-１、３-３については、端末が複数の空間関係に従ってアップリンク情報を送信する機能をサポートする場合、端末は空間関係１と空間関係２を同時に目標空間関係として決定でき、ＳＲＳがチャネル品質の測定に使用されるため、ＳＲＳが元のビーム１で送信できる。ＰＵＳＣＨとＰＵＣＣＨ上で伝送されたアップリンク情報がコリジョンした場合、再生または破棄処理後のアップリンク情報を送信するためのアップリンクチャネル（ＰＵＳＣＨなど）は、空間関係２で送信される。ＰＵＳＣＨとＰＵＣＣＨで送信されたアップリンク情報がコリジョンしない場合、ＰＵＣＣＨとＰＵＳＣＨの両方ともビーム２で送信される。このタイムスロットでＰＵＣＣＨのアップリンク情報の送信がない場合、ＰＵＳＣＨはビーム２で送信される。
【０１００】
（２）目標アップリンク情報のために設定または指示された第２の空間関係を目標空間関係として決定し、目標アップリンク情報の優先度は他のアップリンク情報の優先度よりも高いまたは低く、前記の他のアップリンク情報は、複数のアップリンク情報のうち、前記目標アップリンク情報以外の、少なくとも１つのアップリンク情報である。
【０１０１】
複数の元のビームの１つを目標ビームとして選択することを例にとると、事前設定されている切替基準は、優先度の高いアップリンク情報の１つに対応する第２の空間関係を目標空間関係として決定することである場合、この場合では、仮に、非周期的ＣＳＩレポート（アップリンク情報１）を伝送するためのＰＵＳＣＨが空間関係１に対応するビーム１で送信するように、周期的ＣＳＩレポート（アップリンク情報２）を送信するためのＰＵＣＣＨが空間関係２に対応するビーム２で送信するように、別の定期ＣＳＩレポート（アップリンク情報３）を送信するためのＰＵＣＣＨが空間関係３に対応するビーム３で送信するようにネットワークデバイスによって設定または指示されるとすれば、これらのアップリンク情報の優先度関係は、以下である：アップリンク情報１の優先度はアップリンク情報２の優先度よりも高く、アップリンク情報２の優先度はアップリンク情報３の優先度よりも高い。
【０１０２】
シーン１の方法２-３およびシーン２の方法３-１と３-３については、端末が１つの空間関係のみに従ってアップリンク情報を同時に送信する機能をサポートする場合、端末はアップリンク情報１、アップリンク情報２、およびアップリンク情報３の優先度に従って目標空間関係を決定することができる。アップリンク情報１の優先度が最も高いため、端末はアップリンク情報１に対応する空間関係１を目標ビームとして決定することができる。次に、アップリンク情報１、アップリンク情報２、アップリンク情報３におけるコリジョンしたアップリンク情報は、再生・破棄基準に従って処理し、伝送用アップリンクチャネルを決定し、コリジョンしないアップリンク情報のアップリンクチャネルとともにビーム１で送信する。
【０１０３】
シーン１の方法２-５およびシーン２の方法３-１および３-３については、端末が２つ以下の空間関係に従ってアップリンク情報を送信する機能をサポートする場合、端末はアップリンク情報１、アップリンク情報２、およびアップリンク情報３の優先度に従って２つ以下の目標空間関係を決定することができる。アップリンク情報１とアップリンク情報２とが優先度が最も高い２つであるため、端末は、アップリンク情報１に対応する空間関係１とアップリンク情報２に対応する空間関係２を同時に目標区間関係として決定することができる。このとき、アップリンク情報１はビーム１で送信でき、アップリンク情報２はビーム２で送信でき、アップリンク情報３はビーム１またはビーム２で送信できる。アップリンク情報３は、コリジョンがない目標ビームで送信するのが好ましい、例えば、アップリンク情報３がアップリンク情報１とのみコリジョンし、アップリンク情報２とコリジョンしない場合は、アップリンク情報３は、アップリンク情報２に対応するビーム２で送信するのが好ましい。アップリンク情報３と他のアップリンク情報のいずれともコリジョンする場合は、再生処理した優先度の高いアップリンク情報に対応するビームで送信するのが好ましい。
（３）第３の空間関係を目標空間関係として決定し、第３の空間関係が事前定義されているデフォルトの空間関係であったり、複数のアップリンク情報に対応する空間関係の中で最も優先度が高い空間関係であったり、端末に対応する空間関係の中で最も優先度の高い空間関係である。
【０１０４】
仮に、事前定義またはネットワークデバイスによって設定されたデフォルト空間関係/複数のアップリンク情報に対応する空間関係の中で最も優先度の高い空間関係/端末に対応する空間関係の中で最も優先度の高い空間関係が空間関係２とすれば、空間関係２を目標空間関係としてを決定する。
【０１０５】
仮にＰＵＳＣＨが何れも空間関係１に対応するビーム１で送信するように、ＰＵＣＣＨが空間関係２に対応するビーム２で送信するようにネットワークデバイスによって設定されるとすれば、端末はビーム２を目標ビームの１つとして決定する。端末が１つの空間関係のみに従ってアップリンク情報を同時に送信する機能をサポートする場合、端末はＰＵＳＣＨによって伝送されたアップリンク情報とＰＵＣＣＨで送信されたアップリンク情報を再生破棄処理することができ、決定された送信用の再生破棄処理後のアップリンクチャネルをビーム２で送信することもできる。端末が複数の空間関係に従ってアップリンク情報を送信する機能をサポートする場合、端末は空間関係１と空間関係２を同時に目標空間関係として決定でき、ＰＵＳＣＨとＰＵＣＣＨはそれぞれビーム１とビーム２で送信できる。
【０１０６】
ＰＵＳＣＨとＰＵＣＣＨの両方がいずれも空間関係１に対応するビーム１で送信するようにネットワークデバイスによって設定されると想定する場合、端末はビーム２を目標ビームの１つとして決定する。端末が１つの空間関係のみに従ってアップリンク情報を同時に送信する機能をサポートする場合、端末はＰＵＳＣＨによって伝送されたアップリンク情報とＰＵＣＣＨで送信されたアップリンク情報を再生破棄処理することができ、決定された送信用の再生破棄処理後のアップリンクチャネルをビーム２で送信することができる。端末が２つ以下の空間関係に従ってアップリンク情報を送信する機能をサポートする場合、端末は空間関係１と空間関係２を同時に目標の空間関係として決定することができる。優先度の高いまたは優先度の低いアップリンク情報をデフォルト目標空間関係に切り替えることを優先にして、知らず知らずに破棄処理を行う。例えば、ＰＵＳＣＨ上で伝送されたアップリンク情報の優先度がＰＵＣＣＨ上で伝送されたアップリンク情報の優先度よりも高い場合、優先度の高いＰＵＳＣＨをビーム１で送信し、優先度の低いＰＵＣＣＨをビーム２で送信できる。
【０１０７】
特に、再生処理実施可能なコリジョンのアップリンク情報は、ネットワークデバイスによって設定または指示された元の空間情報に対応するビームで送信される。破棄処理が必要な場合は、上記の事前設定されている切替基準に従って処理できる。
（４）ネットワークデバイスによって最新に指示または設定された第４の空間関係を目標空間関係として決定する。
（５）事前設定されている期間で最高の受信品質を持つ少なくとも１つのアップリンクチャネル測定リソースに対応する空間関係である第５の空間関係を目標空間関係として決定する。
【０１０８】
その中で、事前設定されている切替基準（４）および（５）の具体的な切替および伝送方法は（３）に記載の方法を参照して実現できる。詳細がここで再び記述されることはない。シーン２では、端末が複数の空間関係に従ってアップリンク情報を同時に送信する機能をサポートする場合、ステップ２１は次の方法で実現できるが、これらに限定されない。
【０１０９】
方法４-１は、少なくとも１つの第１アップリンク情報が複数のアップリンク情報に含まれる場合、第１アップリンク情報のために設定または指示された空間関係の少なくとも１つを第１アップリンク情報の目標空間関係として決定し、第１のアップリンク情報のために設定または指示された他の空間関係を他のアップリンク情報の目標空間関係として決定する。
【０１１０】
第１のアップリンク情報用に少なくとも２つの空間的関係を設定または指示し、他のアップリンク情報は、第１のアップリンク情報を除く複数のアップリンク情報のうちの少なくとも１つである。仮に、ＰＵＣＣＨが空間関係１に対応するビーム１や空間関係２に対応するビーム２や空間関係３に対応するビーム３で送信するように、ＰＵＳＣＨがビーム２で送信するように、ＳＲＳがビーム３で送信するようにネットワークデバイスによって設定または指示されるとすれば、ビーム２のＰＵＣＣＨと ＰＵＳＣＨ上で伝送されたアップリンク情報がコリジョンし、ビーム３のＳＲＳがＰＵＣＣＨで送信されたアップリンク情報とコリジョンした場合、端末は空間関係１を目標空間関係の１つとして決定し、ＰＵＣＣＨを空間関係１に対応するビーム１で送信し、また空間関係２と空間関係３を目標空間関係として決定し、ＰＵＳＣＨを空間関係２に対応するビーム２で送信し、ＳＲＳを空間関係３に対応するビーム３で送信する。
【０１１１】
以上は、シーン１およびシーン２の本発明の実施例のアップリンク情報伝送方法を説明しており、本発明の実施例は、シーン１およびシーン２の組み合わせたシーンにも適用可能であって、組み合わせたシーンは、以下である：
【０１１２】
複数のアップリンク情報用に、複数の空間関係に対応するビームで送信するようにネットワークデバイスによって設定または指示される場合、同じ空間関係のビームで送信されるアップリンク情報のコリジョンもあれば、異なる空間関係のビームで送信されるアップリンク情報のコリジョンもあるときは、
【０１１３】
端末が１つの空間関係のみに従ってアップリンク情報を同時に送信する機能をサポートする場合、端末は、再生破棄基準に従ってすべてのコリジョンしたアップリンク情報を再生または破棄処理でき、再生または破棄処理されたアップリンク情報を伝送するためのアップリンクチャネルを目標の空間関係で送信する。
【０１１４】
端末が複数の空間関係に従ってアップリンク情報を同時に送信する機能をサポートする場合、端末は少なくとも１つの目標空間関係を決定することができ、再生破棄基準に従って各目標空間関係で送信されたアップリンク情報を再生または破棄処理し、さらに、再生または破棄されたアップリンク情報を伝送するためのアップリンクチャネルを、対応する目標空間関係で送信する。
【０１１５】
なお、この組み合わせたシーンでは、端末はシーン１の処理方法に従って同じ空間関係でコリジョンしたアップリンク情報を処理し、シーン２の処理方法に従って異なる空間関係でコリジョンしたアップリンク情報を処理することができ、詳細がここで再び記述されることはない。
【０１１６】
本発明の実施例のアップリンク情報送信方法において、端末によって送信された複数のアップリンク情報がコリジョンした場合、コリジョン処理後のアップリンク情報の少なくとも一部の目標空間関係を得るために、コリジョンしたアップリンク情報を破棄、再生、または切替するなど、複数のアップリンク情報をコリジョン処理する。この少なくとも一部のアップリンク情報は、目標空間関系に対応するビームで送信される。したがって、端末がマルチＴＲＰシーンをサポートするアップリンク情報のコリジョン後、どのようにアップリンク情報を送信するかという解決策を提供しており、マルチＴＲＰシーンに対する端末のサポートを強化する。
【０１１７】
図３に示すように、本発明の実施例は、具体的に以下を含むマルチＴＲＰシーンをサポートする端末３００をさらに提供する。
第１の決定モジュール３１０は、複数のアップリンク情報がコリジョンした場合に、複数のアップリンク情報における少なくとも一部のアップリンク情報の目標空間関係を決定するために使用されるものであって、この目標空間関係は、端末用にネットワークデバイスによって設定または指示された空間関係の少なくとも１つである。
送信モジュール３２０は、目標空間関係に従って少なくとも一部のアップリンク情報を送信するために使用されるものであって、この目標空間関係は、同じ空間関係に従って送信されるアップリンク情報がコリジョンしない。
【０１１８】
また、端末３００は以下をさらに含む。
第２の決定モジュールは、複数のアップリンク情報における送信対象の少なくとも一部のアップリンク情報を決定するように構成されている。 
【０１１９】
また、第２の決定モジュールは以下のいずれかを含む。
第１の決定サブモジュールは、再生破棄基準に従って送信対象の少なくとも一部のアップリンク情報を決定するように構成されている。
第２の決定サブモジュールは、ネットワークデバイスの指示に従って、複数のアップリンク情報の少なくとも１つを破棄し、送信対象の少なくとも一部のアップリンク情報を決定するように構成されている。
第３の決定サブモジュールは、事前設定されている破棄基準に従って、複数のアップリンク情報のうちの少なくとも１つを破棄し、送信対象の少なくとも一部のアップリンク情報を決定するように構成されている。
第４の決定サブモジュールは、複数のアップリンク情報のすべてを送信対象の少なくとも一部のアップリンク情報として決定するように構成されている。
【０１２０】
第２の決定サブモジュールまたは第３の決定サブモジュールは、以下を含む。
第１の決定ユニットは、複数のアップリンク情報におけるアップリンク情報の第１の部分を破棄するために使用されるものであって、このアップリンク情報の第１の部分は、設定または指示された目標空間関係における少なくとも１つの空間関係に従って送信されるアップリンク情報である。
【０１２１】
また、事前設定されている破棄基準は、アップリンク情報の優先度、アップリンク情報が属するチャネル/信号の優先度、空間関係の優先度、および端末の端末機能に関連する。
【０１２２】
また、同じ空間関係に従って複数のアップリンク情報を送信する。
【０１２３】
また、第１の決定モジュール３１０は、以下を含む。
第５の決定サブモジュールは、複数のアップリンク情報用に設定または指示された元空間関係を目標空間関係として決定するように構成されている。
または、第６の決定サブモジュールは、ネットワークデバイスによって設定または指示された新空間関係を目標空間関係として決定するように構成されている。
または、第７の決定サブモジュールは、事前設定されている切替基準に従って決定された新空間関係を目標空間関係として決定するように構成されている。
新空間関係は元空間関係とは異なる。
【０１２４】
また、端末が複数の空間的関係に従ってアップリンク情報を送信する能力をサポートする場合、第１の決定モジュール３１０は以下をさらに含む。
第８の決定サブモジュールは、複数のアップリンク情報用に設定または指示された元空間関係と、ネットワークデバイスによって設定または指示された新空間関係とを目標空間関係として決定するように構成されている。
または、第９の決定サブモジュールは、複数のアップリンク情報用に設定または指示された元空間関係と、事前設定されている切替基準に従って決定された新空間関係とを目標空間関係として決定するように構成されている。
新空間関係は元空間関係とは異なる。
【０１２５】
また、複数の異なる空間関係に従って複数のアップリンク情報を送信する。
【０１２６】
また、第１の決定モジュール３１０は、以下の少なくとも１つをさらに含む。
第１０の決定サブモジュールは、事前設定されている切替基準またはネットワークデバイスの設定または指示に従って、複数のアップリンク情報用に設定または示された元空間関係の少なくとも１つを目標空間関係として決定するように構成されている。
第１１の決定サブモジュールは、ネットワークデバイスによって設定または示された新空間関係を目標空間関係として決定するように構成されている。
第１２の決定サブモジュールは、事前設定されている切替基準に従って決定された新空間関係を目標空間関係として決定するように構成されている。
新空間関係は元空間関係とは異なる。
【０１２７】
また、事前設定されている切替基準は、以下の少なくとも１つを含む。
目標チャネル/信号用に設定または指示された第１の空間関係を目標空間関係として決定する。
目標アップリンク情報用に設定または指示される第２の空間関係を目標空間関係として決定し、目標アップリンク情報の優先度は他のアップリンク情報の優先度よりも高いまたは低く、他のアップリンク情報は、複数のアップリンク情報のうち、目標アップリンク情報以外の、少なくとも１つのアップリンク情報である。
第３の空間関係を目標空間関係として決定し、第３の空間関係は事前定義されているデフォルト空間関係であったり、複数のアップリンク情報に対応する空間関係の中で最も優先度が高い空間関係であったり、端末に対応する空間関係の中で最も優先度が高い空間関係である。
ネットワークデバイスによって最新に指示または設定された第４の空間関係を目標空間関係として決定する。
事前設定されている期間で最高の受信品質を持つ少なくとも１つのアップリンクチャネル測定リソースに対応する空間関係である第５の空間関係を目標空間関係として決定する。
【０１２８】
端末が複数の空間関係に従ってアップリンク情報を同時に送信する能力をサポートする場合、第１の決定モジュール３１０は以下をさらに含む。
第１３の決定サブモジュールは、第１のアップリンク情報の少なくとも１つが複数のアップリンク情報に含まれる場合に、第１のアップリンク情報用に設定または指示された空間関係の少なくとも１つを第１のアップリンク情報の目標空間関係として決定するために使用されるものであり、第１のアップリンク情報用に設定または指示された他の空間関係を他のアップリンク情報の目標空間関係として決定するように構成されている。
第１のアップリンク情報用に少なくとも２つの空間的関係を設定または指示し、他のアップリンク情報は、第１のアップリンク情報を除く複数のアップリンク情報のうちの少なくとも１つである。
【０１２９】
なお、この端末は、上記の方法に対応する端末であって、上記の方法の実施例におけるすべての実施方法は、この端末の実施例に適用可能であり、同じ技術的効果も達成できることに留意されたい。
【０１３０】
なお、以上の端末の各モジュールの分割は、単にロジック機能の分割にすぎず、実際の実装中に完全にまたは部分的に１つの物理的実体に集成されてもよく、物理的に分離されても構わないことを理解されたい。また、これらのモジュールは、すべて処理要素を介してソフトウェアを呼び出す形式で実現してもよく、すべて、ハードウェアの形式で実現してもよく、さらに、一部のモジュールが処理要素によってソフトウェアを呼び出す形式で実現し且つ一部のモジュールがハードウェアの形式で実現してもよい。例えば、受信モジュールは、別個に設定された処理要素であってもよいし、上記装置の１つのチップに集成してもよいし、さらに、プログラムコードの形で上記装置のメモリに格納してもよく、上記装置の１つの処理要素にて上記の決定モジュールの機能を呼び出して実行する。他のモジュールの実現はこれと同様である。さらに、これらのモジュールのすべてまたは一部を集成してもよいし、個別に実現することもよい。ここで記載の処理要素は、信号処理機能を備えた集積回路であり得る。実現プロセスでは、上記の方法の各ステップまたは上記の各モジュールは、プロセッサ要素におけるハードウェアの集積論理回路、またはソフトウェアの形式の指令によって完成することができる。
【０１３１】
例えば、上記のこれらのモジュールは、１つ以上の特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ, ＡＳＩＣ）、または１つ以上のデジタルシグナルプロセッサ（ｄｉｇｉｔａｌ ｓｉｇｎａｌ ｐｒｏｃｅｓｓｏｒ, ＤＳＰ）、または１つ以上のフィールド・プログラマブル・ゲート・アレイ（Ｆｉｅｌｄ Ｐｒｏｇｒａｍｍａｂｌｅ Ｇａｔｅ Ａｒｒａｙ, ＦＰＧＡ）などの、上記の方法を実施する１つ以上の集積回路になるように構成され得る。別の例では、上記のモジュールの１つが処理要素を介してプログラムコードを呼び出す形式で実現される場合、この処理要素は、中央処理ユニット（Ｃｅｎｔｒａｌ Ｐｒｏｃｅｓｓｉｎｇ Ｕｎｉｔ,ＣＰＵ）またはプログラムコードを呼び出すことができる他のプロセッサなどの汎用プロセッサであり得る。別の例では、これらのモジュールを集成して、システムオンチップ（ＳＯＣ）の形式で実現することができる。
【０１３２】
本発明の実施例は、プロセッサと、メモリと、及びメモリに収納され且つプロセッサ上で実行可能なコンピュータプログラムを含む端末をさらに提供しており、前記コンピュータプログラムがプロセッサによって実行されるとき、前記のアップリンク情報の送信方法のステップを実現する。
【０１３３】
図４に示すように、この通信装置が端末である場合、この端末４０は、無線周波数ユニット４１、ネットワークモジュール４２、音声出力ユニット４３、入力ユニット４４、センサー４５、表示ユニット４６、ユーザ入力ユニット４７、インターフェイスユニット４８、メモリ４９、プロセッサ４１０、電源４１１等の部品を含むが、これらに限定されない。当業者なら、図４に示す端末の構造が端末の限定を構成するものではなく、端末が図に示すものより多いまたは少ない部品か、または何らかの部品を組み合わせるか、または異なる部品設定を含み得ることを理解するはずである。本発明の実施例では、端末は、携帯電話、タブレット、ノートパソコン、パームトップパソコン、車載端末、ウェアラブルデバイス、および歩数計を含むが、これらに限定されない。
【０１３４】
無線周波数ユニット４１は、複数のアップリンク情報がコリジョンした場合に、複数のアップリンク情報における少なくとも一部のアップリンク情報の目標空間関係を決定するように構成されており、この目標空間関係は、端末用にネットワークデバイスによって設定または指示された空間関係のうちの少なくとも１つである。
同じ空間関係に従って送信されたアップリンク情報がコリジョンしない目標空間関係に基づいて、少なくとも一部のアップリンク情報を送信する。
【０１３５】
本発明の実施例では、無線周波数ユニット４１は、情報の送受信または通話過程で信号を送受信するために使用されており、具体的には、基地局からのダウンリンクデータを受信した後、プロセッサ４１０によって処理され、また、アップリンクデータを基地局に送信する、ということを理解されたい。通常、無線周波数ユニット４１は、アンテナ、１つ以上の増幅器、トランシーバ、カプラ、低ノイズ増幅器、ダイプレクサなどを含むが、これらに限定されない。さらに、無線周波数ユニット４１はまた、無線通信システムを介してネットワークおよび他のデバイスと通信することもできる。
【０１３６】
端末は、ネットワークモジュール４２を介して無線ブロードバンドインターネットアクセスをユーザーに提供しており、例えば、ユーザーが電子メールを送受信したり、ウェブページを閲覧したり、ストリーミングメディアにアクセスしたりするのを支援するなど。
【０１３７】
音声出力ユニット４３は、無線周波数ユニット４１またはネットワークモジュール４２によって受信された、またはメモリ４９に格納された音声データを音声信号に変換し、それを音声として出力することができる。音声出力ユニット４３は、端末４０によって実行される特定の機能（例えば、呼出信号の受信音、メッセージ受信音など）に関連する音声出力をさらに提供することができる。音声出力ユニット４３は、スピーカー、ブザー、受話器などを含む。
【０１３８】
入力ユニット４４は、音声または動画信号を受信するために使用される。入力ユニット４４は、ビデオキャプチャモードまたは画像キャプチャモードで画像キャプチャ装置（カメラなど）によって獲得された静止画像またはビデオ画像データを処理するグラフィックプロセッシングユニット（ＧＰＵ）４４１およびマイクロフォン４４２を含み得る。処理された画像フレームは、表示ユニット４６に表示され得る。グラフィックプロセッシングユニット４４１によって処理された画像フレームは、メモリ４９（または他の記憶媒体）に格納され得るか、または無線周波数ユニット４１やネットワークモジュール４２を介して送信され得る。マイクロフォン４４２は音を受信することができるし、そのような音を音声データに処理することもできる。処理された音声データは、電話通話モードの場合に、無線周波数ユニット４１を介して移動通信基地局に送信できるフォーマットに変換して出力することができる。
【０１３９】
端末４０はまた、光センサー、運動センサー、および他のセンサーなどの少なくとも１つのセンサー４５を含む。具体的には、光センサーは、周囲光の明るさに応じて表示パネル４６１の輝度を調整することができる環境光センサーと、端末４０が耳に移動したときに表示パネル４６１および/またはバックライトを閉じることができる近接センサーとを含む。加速度計センサーは、運動センサーの一種として、さまざまな方向（通常は３軸）の加速度の大きさを検出でき、静止時の重力の大きさ及び方向を検出でき、端末姿勢の識別（水平および垂直画面切り替え、関連ゲーム、磁力計の姿勢キャリブレーションなど）、振動による関連機能（歩数計、叩きなど）の識別をするために使用できる。センサー４５は、指紋センサー、圧力センサー、虹彩センサー、分子センサー、ジャイロスコープ、気圧計、湿度計、温度計、赤外線センサー等をさらに含み得る。詳細がここで再び記述されることはない。
【０１４０】
表示ユニット４６は、ユーザが入力した情報またはユーザに提供した情報を表示するように構成されている。表示ユニット４６は、表示パネル４６１を含み、液晶ディスプレイ（Ｌｉｑｕｉｄ Ｃｒｙｓｔａｌ Ｄｉｓｐｌａｙ ＬＣＤ）、有機発光ダイオード（Ｏｒｇａｎｉｃ Ｌｉｇｈｔ-Ｅｍｉｔｔｉｎｇ Ｄｉｏｄｅ, ＯＬＥＤ）などの形式で設定され得る。
【０１４１】
ユーザ入力ユニット４７は、入力された数字または文字情報を受信し、端末のユーザ設定および機能制御に関連するキー信号入力を生成するように構成されている。具体的には、ユーザ入力ユニット４７は、タッチパネル４７１および他の入力装置４７２を含む。タッチパネル４７１は、タッチスクリーンとも呼ばれ、その上またはその近くでの（例えば、ユーザが指やスタイラスペンなどの任意の適切な物体または付属品を使用してタッチパネル４７１上またはタッチパネル４７１の近くでの操作）ユーザのタッチ操作を収集することができる。タッチパネル４７１は、タッチ検出装置およびタッチコントローラの２つの部分を含み得る。その中で、タッチ検出装置は、ユーザーのタッチ位置を検出し、タッチ操作による信号を検出し、その信号をタッチコントローラに送信する。タッチコントローラは、タッチ検出装置からタッチ情報を受信し、それを触点座標に変換し、プロセッサ４１０に送信し、プロセッサ４１０からのコマンドを受信して実行する。さらに、タッチパネル４７１は、抵抗式、電気容量式、赤外線、および表面音波などの様々なタイプで実現することができる。タッチパネル４７１に加えて、ユーザ入力ユニット４７は、他の入力装置４７２をさらに含み得る。具体的には、他の入力装置４７２は、物理キーボード、機能キー（ボリューム制御キー、スイッチキーなど）、トラックボール、マウス、およびジョイスティックを含み得るが、これらに限定されない。詳細がここで再び記述されることはない。
【０１４２】
さらに、タッチパネル４７１は、表示パネル４６１を覆うことができ、タッチパネル４７１がその上またはその近くでのタッチ操作を検出すると、プロセッサ４１０に送信し、タッチイベントのタイプを決定し、その後、プロセッサ４１０がイベントのタイプに応じて、表示パネル４６１上に対応する視覚的出力を提供する。図４では、タッチパネル４７１および表示パネル４６１は、端末の入出力機能を実現するための２つの独立した部品として使用されるが、いくつかの実施例では、タッチパネル４７１と表示パネル４６１を集成することで端末の入出力機能を実現でき、具体的にはここで限定しない。
【０１４３】
インターフェースユニット４８は、外部装置と端末４０とを接続するインターフェースである。例えば、外部装置は、有線または無線のヘッドフォンポート、外部電源（またはバッテリ充電器）ポート、有線または無線のデータポート、メモリカードポート、識別モジュールを有する装置に接続するためのポート、音声入力/出力（Ｉ/Ｏ）ポート、ビデオI/Oポート、ヘッドフォンポート等を含み得る。インターフェースユニット４８は、外部装置からの入力（例えば、データ情報、電力など）を受信し、受信した入力を端末４０における１つ以上の要素に伝送するために使用されることができ、または端末４０と外部装置との間でデータを伝送するために使用されることができる。
【０１４４】
メモリ４９は、ソフトウェアプログラムおよび様々なデータを格納するために使用され得る。メモリ４９は、主にプログラム記憶領域およびデータ記憶領域を含むことができ、プログラム記憶領域が、操作システム、少なくとも１つの機能（音声再生機能、画像再生機能など）に必要なアプリケーションプログラムなどを収納でき、データ記憶領域が、携帯電話の使用による作成されたデータ（音声データ、電話帳など）を収納できる。また、メモリ４９は、高速ランダムアクセスメモリを含み得、少なくとも１つのディスクメモリ、フラッシュメモリ、他の揮発性ソリッドステートメモリなどの非揮発性メモリをさらに含み得る。
【０１４５】
プロセッサ４１０は、端末の制御センターであり、様々なインターフェースおよび回線で端末全体の各部を接続し、メモリ４９に格納されたソフトウェアプログラムおよび/またはモジュールを運行または実行すること、及びメモリ４９に格納されたデータを呼び出すことによって、端末の各種機能とデータの処理を実行し、端末全体を監視する。プロセッサ４１０は、１つ以上の処理ユニットを含み得、好ましくは、プロセッサ４１０はアプリケーションプロセッサおよびモデムプロセッサを集成することができ、アプリケーションプロセッサは主に操作システム、ユーザインターフェース、およびアプリケーションプログラムなどを処理し、モデムプロセッサは主に無線通信を処理する。上記のモデムプロセッサは、プロセッサ４１０に集成されなくてもよいと理解され得る。
【０１４６】
端末４０は各部品に電力を供給する電源４１１（バッテリーなど）をさらに含み得、好ましくは、電源４１１は電源管理システムを介してプロセッサ４１０に論理的に接続され、電源管理システムを介して充放電管理、および電力消費管理等の機能を実現する。
【０１４７】
なお、端末４０は、示されていないいくつかの機能モジュールを含む。詳細がここで再び記述されることはない。
【０１４８】
好ましくは、本発明の実施例において、端末は、無線端末または有線端末であり得、無線端末は、音声および/または他のサービスデータ接続をユーザに提供する装置、無線接続機能を備えたハンドヘルド装置、または無線モデムに接続された他の処理装置であり得る。無線端末は、無線アクセスネットワーク（Ｒａｄｉｏ Ａｃｃｅｓｓ Ｎｅｔｗｏｒｋ, ＲＡＮ）を通して１つ以上のコアネットワークと通信することでき、無線端末は、携帯電話（または「セルラー」電話）などのモバイル端末であってもよく、モバイル端末を備えたコンピューター（例えば、無線アクセスネットワークと言語および/またはデータを交換するポータブル式・ポケット式・手持ち式・コンピューター内蔵または車載のモバイル装置）であってもよい。例えば、パーソナルコミュニケーションサービス（Ｐｅｒｓｏｎａｌ Ｃｏｍｍｕｎｉｃａｔｉｏｎ Ｓｅｒｖｉｃｅ, ＰＣＳ）電話、コードレス電話、セッション開始プロトコル（Ｓｅｓｓｉｏｎ Ｉｎｉｔｉａｔｉｏｎ Ｐｒｏｔｏｃｏｌ, ＳＩＰ）電話、無線ローカルループ（Ｗｉｒｅｌｅｓｓ Ｌｏｃａｌ Ｌｏｏｐ, ＷＬＬ）ステーション、およびパーソナルデジタルアシスタント（Ｐｅｒｓｏｎａｌ ｄｉｇｉｔａｌ Ａｓｓｉｓｔａｎｔ, ＰＤＡ）等のデバイス。無線端末は、システム、サブスクライバーユニット（Ｓｕｂｓｃｒｉｂｅｒ Ｕｎｉｔ）、サブスクライバーステーション（Ｓｕｂｓｃｒｉｂｅｒ Ｓｔａｔｉｏｎ）、モバイルステーション（Ｍｏｂｉｌｅ Ｓｔａｔｉｏｎ）、モバイル（Ｍｏｂｉｌｅ）、リモートステーション（Ｒｅｍｏｔｅ Ｓｔａｔｉｏｎ）、リモート端末（Ｒｅｍｏｔｅ Ｔｅｒｍｉｎａｌ）、アクセス端末（Ａｃｃｅｓｓ Ｔｅｒｍｉｎａｌ）、ユーザー端末（Ｕｓｅｒ Ｔｅｒｍｉｎａｌ）、ユーザーエージェント（Ｕｓｅｒ Agent）、ユーザ装置（Ｕｓｅｒ Ｄｅｖｉｃｅ ｏｒ Ｕｓｅｒ Ｅｑｕｉｐｍｅｎｔ）とも呼ばれ、ここでは限定しない。
【０１４９】
本発明の実施例は、プロセッサによって実行されるときに上述アップリンク情報送信方法のステップを実現するコンピュータプログラムが記憶されたコンピュータ読み取り可能な記憶媒体をさらに提供する。
【０１５０】
本発明の上記各実施例では、複数のチャネル/信号がコリジョンした後、マルチＴＲＰシーンをサポートする場合、依然として複数のチャネル/信号のコリジョンを解決することができ、端末の通信範囲および効率を高める。
【０１５１】
以上は添付の図面を参照して本発明の実施例についての説明であって、本発明を制限するためのものではなく、上記の詳細な実施形態は、例示にすぎず、限定的ではなく、当業者は、本発明の啓発の下で、本発明の主旨および請求項の保護範囲から逸脱することなく、多くの形態を作成することができ、いずれも本発明の保護範囲内に含まれるべきである。
【符号の説明】
【０１５２】
０１  ネットワークデバイス
０２  端末
４０  端末
４１  無線周波数ユニット
４２  ネットワークモジュール
４３  音声出力ユニット
４４  入力ユニット
４５  センサー
４６  表示ユニット
４７  ユーザ入力ユニット
４８  インターフェースユニット
４９  メモリ
３００  端末
３１０  第１の決定モジュール
３２０  送信モジュール
４１０  プロセッサ
４１１  電源
４４１  グラフィックプロセッシングユニット
４４２  マイクロフォン
４６１  表示パネル
４７１  タッチパネル
４７２  他の入力装置
【図１】
2021536178.tif 000003
【図２】
2021536178.tif 000004
【図３】
2021536178.tif 000005
【図４】
2021536178.tif 000006
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
端末に適用されるアップリンク情報の送信方法であって、
複数のアップリンク情報がコリジョンした場合、前記複数のアップリンク情報における少なくとも一部のアップリンク情報の目標空間関係を決定することであって、前記目標空間関係は、端末用にネットワークデバイスによって設定されまたは指示された空間関係のうちの少なくとも１つである、決定することと、
同じ空間関係に従って送信されたアップリンク情報がコリジョンしない前記目標空間関係に基づいて、前記少なくとも一部のアップリンク情報を送信することとを含む、端末に適用されるアップリンク情報の送信方法。
【請求項２】
前記目標空間関係に従って、前記少なくとも一部のアップリンク情報を送信するステップの前に、
前記複数のアップリンク情報における送信対象の少なくとも一部のアップリンク情報を決定するステップを更に含む、請求項１に記載のアップリンク情報の送信方法。
【請求項３】
前記複数のアップリンク情報における送信対象の少なくとも一部のアップリンク情報を決定するステップは、
再生破棄基準に従って、送信対象の少なくとも一部のアップリンク情報を決定するステップと、
ネットワークデバイスの指示に従って、前記複数のアップリンク情報のうちの少なくとも１つを破棄し、送信対象の少なくとも一部のアップリンク情報を決定するステップと、
事前設定されている破棄基準に従って、前記複数の少なくとも１つのアップリンク情報を破棄し、送信対象のアップリンク情報少なくとも一部を決定するステップと、
前記複数のアップリンク情報のすべてを送信対象の少なくとも一部のアップリンク情報として決定するステップとのうちの１つを含む、請求項２に記載のアップリンク情報の送信方法。
【請求項４】
前記複数のアップリンク情報のうちの少なくとも１つを破棄するステップは、前記複数のアップリンク情報における第１の部分のアップリンク情報を破棄するステップを含み、前記第１の部分のアップリンク情報は、設定または指示された前記目標空間関係のうちの少なくとも１つの空間関係に従って送信されたアップリンク情報であることを特徴とする、請求項３に記載のアップリンク情報の送信方法。
【請求項５】
前記事前設定されている破棄基準は、前記アップリンク情報の優先度と、前記アップリンク情報が属するチャネル/信号の優先度と、および前記空間関係の優先度と、前記端末の端末機能と関係がある、請求項３に記載のアップリンク情報の送信方法。
【請求項６】
同じ空間的関係に従って、前記複数のアップリンク情報を送信する、請求項１乃至５のいずれか一項に記載のアップリンク情報の送信方法。
【請求項７】
前記複数のアップリンク情報における少なくとも一部のアップリンク情報の目標空間関係を決定するステップは、
前記複数のアップリンク情報用に設定または指示された元空間関係を前記目標空間関係として決定するステップと、
または、前記ネットワークデバイスによって設定または指示された新空間関係を前記目標空間関係として決定するステップと、
または、事前設定されている切替基準に従って決定された新空間関係を前記目標空間関係として決定するステップとを含み、
前記新空間関係が前記元空間関係とは異なることを特徴とする、請求項６に記載のアップリンク情報の送信方法。
【請求項８】
前記端末が複数の空間関係に従ってアップリンク情報を同時に送信する能力をサポートする場合、前記複数のアップリンク情報における少なくとも一部のアップリンク情報の目標空間を決定するステップは、
前記複数のアップリンク情報用に設定または指示された元空間関係と、前記ネットワークデバイスによって設定または示された新空間関係とを前記目標空間関係として決定するステップと、
または、前記複数のアップリンク情報用に設定または指示された元空間関係と、事前設定されている切替基準に従って決定された新空間関係とを前記目標空間関係として決定するステップとをさらに含み、
前記新空間関係が前記元空間関係とは異なることを特徴とする、請求項６に記載のアップリンク情報の送信方法。
【請求項９】
複数の異なる空間関係に従って前記複数のアップリンク情報を送信する、請求項１乃至５のいずれか一項に記載のアップリンク情報の送信方法。
【請求項１０】
前記複数のアップリンク情報における少なくとも一部のアップリンク情報の目標空間関係を決定するステップは、
事前設定されている切替基準やネットワークデバイスの設定または指示に従って、前記複数のアップリンク情報用に設定または指示された元空間関係のうちの少なくとも１つを前記目標空間関係として決定するステップと、
前記ネットワークデバイスによって設定または指示された新空間関係を前記目標空間関係として決定するステップと、
前記事前設定されている切替基準に従って決定された新空間関係を前記目標空間関係として決定するステップと、のうちの少なくとも１つを含み、
前記新空間関係が前記元空間関係とは異なることを特徴とする、請求項９に記載のアップリンク情報の送信方法。
【請求項１１】
前記事前設定されている切替基準は、
目標チャネル/信号用に設定または指示された第１の空間関係を目標空間関係として決定することと、
目標アップリンク情報用に設定または指示された第２の空間関係を目標空間関係として決定し、目標アップリンク情報の優先度は他のアップリンク情報の優先度よりも高いまたは低く、前記の他のアップリンク情報は、前記複数のアップリンク情報のうち、前記目標アップリンク情報以外の、少なくとも１つのアップリンク情報であることと、
第３の空間関係を目標空間関係として決定し、前記第３の空間関係は、事前定義されているデフォルト空間関係であったり、前記複数のアップリンク情報に対応する空間関係の中で最も優先度の高い空間関係であったり、前記端末に対応する空間関係の中で最も優先度が高い空間関係であることと、
前記ネットワークデバイスによって最新に指示または設定された第４の空間関係を目標空間関係として決定することと、
事前設定されている期間で最高の受信品質を持つ少なくとも１つのアップリンクチャネル測定リソースに対応する空間関係である第５の空間関係を目標空間関係として決定することと、のうちの少なくとも１つを含む、請求項８または１０に記載のアップリンク情報の送信方法。
【請求項１２】
前記端末が、複数の空間的関係に従ってアップリンク情報を同時に送信する能力をサポートする場合、前記複数のアップリンク情報における少なくとも一部のアップリンク情報の目標空間関係を決定するステップは、
前記少なくとも１つの第１のアップリンク情報が前記複数のアップリンク情報に含まれる場合は、前記第１のアップリンク情報用に設定または指示された空間関係のうちの少なくとも１つを前記第１のアップリンク情報の目標空間関係として決定し、前記第１のアップリンク情報用に設定または指示された他の空間関係を他のアップリンク情報の目標空間関係として決定するステップと、
第１のアップリンク情報用に少なくとも２つの空間関係を設定または指示し、前記の他のアップリンク情報は、前記第１のアップリンク情報を除く前記複数のアップリンク情報のうちの少なくとも１つである、決定することをさらに含む、請求項９に記載の前記アップリンク情報の送信方法。
【請求項１３】
端末であって、
複数のアップリンク情報がコリジョンした場合、前記複数のアップリンク情報における少なくとも一部のアップリンク情報の目標空間関係を決定する第１の決定モジュールとであり、前記目標空間関係は、前記端末用にネットワークデバイスによって設定または指示された空間関係のうちの少なくとも１つであるように構成されている、第１の決定モジュールと、
同じ空間関係に従って送信されるアップリンク情報がコリジョンしない前記目標空間関係に従って前記の少なくとも一部のアップリンク情報を送信するように構成されている送信モジュールとを含む端末。
【請求項１４】
プロセッサと、メモリと、メモリに収納され且つプロセッサ上で実行可能なコンピュータプログラムとを含み、前記コンピュータプログラムがプロセッサによって実行されるときに請求項１乃至１２のいずれか一項に記載のアップリンク情報送信方法のステップを実現することを特徴とする、端末。
【請求項１５】
プロセッサによって実行されるときに請求項１乃至１２のいずれか一項に記載のアップリンク情報送信方法のステップを実現するコンピュータプログラムが記憶されたコンピュータ読み取り可能な記憶媒体。
【手続補正２】
【補正対象書類名】明細書
【補正対象項目名】００４３
【補正方法】変更
【補正の内容】
【００４３】
事前設定されている破棄基準は、アップリンク情報コリジョン後の処理ルールであり得る。例えば、事前設定されている破棄基準は、以下を含むが、これらに限定されない。
１.複数のアップリンク情報のうち優先的に使用されるチャネル/信号に対応するアップリンク情報以外の情報を破棄する。例えば、事前設定されている破棄基準がＰＵＣＣＨを優先的に使用することを決定した場合、コリジョンした複数のアップリンク情報のうち、他のチャネルまたは信号  において保持されるアップリンク情報を破棄する。
２.複数のアップリンク情報のうち、優先的に使用される空間関係に対応するアップリンク情報以外の情報を破棄する。例えば、事前設定されている破棄基準が空間関係１を優先的に使用することを決定した場合、コリジョンした複数のアップリンク情報のうち、他の空間関係に対応するアップリンク情報を破棄する。
【手続補正３】
【補正対象書類名】明細書
【補正対象項目名】００５３
【補正方法】変更
【補正の内容】
【００５３】
別の例では、１つのＰＵＣＣＨは、空間関係１に対応するビーム１を使用して送信するようにネットワークデバイスによって設定または指示され、もう１つのＰＵＣＣＨは、空間関係１に対応するビーム１を使用して送信するように設定または指示され、この２つのＰＵＣＣＨの時間・周波数リソースが、時間領域において少なくとも１つのＯＦＤＭシンボルの重複を有する場合は、この２つのＰＵＣＣＨ上で伝送されたアップリンク情報がコリジョンする。
【国際調査報告】
2021536178.tif 000007
2021536178.tif 000008
2021536178.tif 000009
2021536178.tif 000010